(57)【要約】  本開示の実施形態は、基準信号送信及び測定のための方法及びデバイスに関する。例示的な実施形態において、ネットワークデバイスが実行する方法が提供され、第１基準信号の測定に関するリポートが端末デバイスから受信される。第１基準信号は、第１周期性に従い、ネットワークデバイスから端末デバイスに送信されたものである。その後リポートに基づき、第２基準信号を受信するための第２周期性の表示が端末デバイスに送信される。第２基準信号は、第１基準信号に関連付けられる。
2019533920.tif 000002
【特許請求の範囲】
【請求項１】
ネットワークデバイス（１１０）で実行される方法（６００）であって、
第１周期性に従い、前記ネットワークデバイス（１１０）から端末デバイス（１３０）に送信された第１基準信号の測定に関するリポートを前記端末デバイス（１３０）から受信する（６２０）ことと、
前記リポートに基づき、前記第１基準信号に関連付けられた第２基準信号を受信するための第２周期性の表示を前記端末デバイス（１３０）に送信する（６４０）ことと、
を含む方法。
【請求項２】
請求項１に記載の方法（６００）であって、さらに、
前記第２周期性の前記表示を送信することに応答して、
前記第１周期性に従い前記第１基準信号を前記端末デバイス（１３０）に送信することと、
前記第２周期性に従い前記第２基準信号を前記端末デバイス（１３０）に送信することと、を含む方法。
【請求項３】
請求項２に記載の方法（６００）であって、
前記第１基準信号を送信することは、第１幅の第１ビームを用いて前記第１基準信号を送信することを含み、
前記第２基準信号を送信することは、第２幅の１つ以上の第２ビームを用いて前記第２基準信号を送信することを含む、方法。
【請求項４】
請求項１から３のいずれか１項に記載の方法（６００）であって、
前記第２周期性の表示を送信することは、
前記リポートに基づき、前記端末デバイス（１３０）が、前記ネットワークデバイス（１１０）から更なるネットワークデバイス（１２０）にハンドオーバするかを判定することと、
前記端末デバイス（１３０）がハンドオーバするとの判定に応答して、前記第２周期性の前記表示を送信することと、
を含む方法。
【請求項５】
請求項１から４のいずれか１項に記載の方法（６００）であって、
前記リポートは、前記第１周期性に従い更なるネットワークデバイス（１２０）により前記端末デバイス（１３０）に送信された第３基準信号の測定にさらに関連し、
前記方法は、さらに、
前記第３基準信号に関連付けられた第４基準信号を送信するための前記第２周期性の表示を前記更なるネットワークデバイス（１２０）に送信することを含む、方法。
【請求項６】
端末デバイス（１３０）で実行される方法（７００）であって、
第１周期性に従い、ネットワークデバイス（１１０）から前記端末デバイス（１３０）により受信された第１基準信号の測定に基づくリポートを判定する（７１０）ことと、
前記第１基準信号に関連付けられた第２基準信号を前記ネットワークデバイス（１１０）に送信させるために、前記ネットワークデバイス（１１０）に前記リポートを送信する（７２０）ことと、
前記第２基準信号を受信するための第２周期性の表示を前記ネットワークデバイス（１１０）から受信する（７３０）ことと、
を含む方法。
【請求項７】
請求項６に記載の方法（７００）であって、さらに、
前記第２周期性の前記表示を受信することに応答して、
前記第１周期性に従い前記端末デバイス（１３０）への前記第１基準信号を前記ネットワークデバイス（１１０）から受信することと、
前記第２周期性に従い前記端末デバイス（１３０）への前記第２基準信号を前記ネットワークデバイス（１１０）から受信することと、
を含む方法。
【請求項８】
請求項７に記載の方法（７００）であって、
前記第１基準信号を受信することは、第１幅の第１ビームを用いて送信された前記第１基準信号を受信することを含み、
前記第２基準信号を受信することは、第２幅の１つ以上の第２ビームを用いて送信された前記第２基準信号を受信することを含む、方法。
【請求項９】
請求項６から８のいずれか１項に記載の方法（７００）であって、
前記リポートを判定することは、前記第１周期性に従い更なるネットワークデバイス（１２０）から受信した第３基準信号の測定にさらに基づき前記リポートを判定することを含み、
前記リポートは、前記端末デバイス（１３０）が前記ネットワークデバイス（１１０）から前記更なるネットワークデバイス（１２０）にハンドオーバするかを示す、方法。
【請求項１０】
ネットワークデバイス（１１０、８００）の装置（１０００）であって、
プロセッサ（１０１０）と、前記プロセッサ（１０１０）により実行可能な命令を含むメモリ（１０２０）と、を備え、
前記装置（１０００）は、
第１周期性に従い、前記ネットワークデバイス（１１０）から端末デバイス（１３０）に送信された第１基準信号の測定に関するリポートを前記端末デバイス（１３０）から受信し（６２０）、
前記リポートに基づき、前記第１基準信号に関連付けられた第２基準信号を受信するための第２周期性の表示を前記端末デバイス（１３０）に送信する（６４０）、
様に動作する、装置。
【請求項１１】
請求項１０に記載の装置（１０００）であって、
前記装置は、
前記第２周期性の前記表示を送信することに応答して、
前記第１周期性に従い前記第１基準信号を前記端末デバイス（１３０）に送信し、
前記第２周期性に従い前記第２基準信号を前記端末デバイス（１３０）に送信する、
様に動作する、装置。
【請求項１２】
請求項１１に記載の装置（１０００）であって、
前記装置は、第１幅の第１ビームを用いて前記第１基準信号を送信することにより前記第１基準信号を送信する様に動作し、
前記装置は、第２幅の１つ以上の第２ビームを用いて前記第２基準信号を送信することにより前記第２基準信号を送信する様に動作する、装置。
【請求項１３】
請求項１２に記載の装置（１０００）であって、
前記第２幅は、前記第１幅より狭い、装置。
【請求項１４】
請求項１２に記載の装置（１０００）であって、
前記装置（１０００）は、さらに、前記端末デバイス（１３０）の位置に基づき、前記第２幅の１つ以上と、前記第２ビームの数を判定する様に動作する、装置。
【請求項１５】
請求項１０から１４のいずれか１項に記載の装置（１０００）であって、
前記装置（１０００）は、
前記リポートに基づき、前記端末デバイス（１３０）が、前記ネットワークデバイス（１１０）から更なるネットワークデバイス（１２０）にハンドオーバするかを判定し、
前記端末デバイス（１３０）がハンドオーバするとの判定に応答して、前記第２周期性の前記表示を送信することにより、
前記第２周期性の表示を送信する様に動作する、装置。
【請求項１６】
請求項１０から１５のいずれか１項に記載の装置（１００００）であって、
前記リポートは、前記第１周期性に従い更なるネットワークデバイス（１２０）により前記端末デバイス（１３０）に送信された第３基準信号の測定にさらに関連し、
前記装置（１０００）は、さらに、前記第３基準信号に関連付けられた第４基準信号を送信するための前記第２周期性の表示を前記更なるネットワークデバイス（１２０）に送信する様に動作する、装置。
【請求項１７】
請求項１６に記載の装置（１０００）であって、
前記装置（１０００）は、
前記リポートに基づき、前記端末デバイス（１３０）が前記ネットワークデバイス（１１０）から前記更なるネットワークデバイス（１２０）にハンドオーバするかを判定し、
前記端末デバイス（１３０）がハンドオーバするとの判定に応答して、前記第２周期性の前記表示を前記更なるネットワークデバイス（１２０）に送信することにより、
前記第２周期性の表示を前記更なるネットワークデバイス（１２０）に送信する様に動作する、装置。
【請求項１８】
請求項１７に記載の装置（１０００）であって、
前記装置（１０００）は、さらに、前記端末デバイス（１３０）がハンドオーバするとの判定に応答して、前記第４基準信号を受信するための前記更なるネットワークデバイス（１２０）の識別子を前記端末デバイス（１３０）に送信する様に動作する、装置。
【請求項１９】
請求項１６から１８のいずれか１項に記載の装置（１０００）であって、
前記装置（１０００）は、さらに、前記更なるネットワークデバイス（１２０）に、前記第４基準信号を送信するための１つ以上の第３ビームの第３幅と、前記第３ビームの数との１つ以上を判定させるために、前記更なるネットワークデバイス（１２０）に前記端末デバイス（１３０）の位置を送信する様に動作する、装置。
【請求項２０】
請求項１０から１９のいずれか１項に記載の装置（１０００）であって、
前記装置（１０００）は、さらに、更なる端末デバイス（１３０−１、１３０−２、１３０−３）に前記第２周期性の前記表示を送信する様に動作する、装置。
【請求項２１】
請求項２０に記載の装置（１０００）であって、
前記装置（１０００）は、無線ネットワーク一時識別子（ＲＮＴＩ）に基づき前記第２周期性の前記表示を送信することにより、更なる端末デバイスに前記第２周期性の前記表示を送信する様に動作し、
前記ＲＮＴＩは、前記端末デバイス（１３０−１、１３０−２、１３０−３）及び前記更なる端末デバイス（１３０−１、１３０−２、１３０−３）を含むグループに対して定義される、装置。
【請求項２２】
請求項１０から２１のいずれか１項に記載の装置（１０００）であって、
前記装置（１０００）は、さらに、前記リポートの構成情報を前記端末デバイス（１３０）に送信する様に動作する、装置。
【請求項２３】
請求項２２に記載の装置（１０００）であって、
前記装置（１０００）は、
前記端末デバイス（１３０）のトラフィックタイプを判定し、
前記トラフィックタイプに基づき前記リポートの前記構成情報を送信することにより、前記リポートの構成情報を送信する様に動作する、装置。
【請求項２４】
請求項２２又は２３に記載の装置（１０００）であって、
前記構成情報は、
前記端末デバイス（１３０）と前記ネットワークデバイス（１１０）との間の第１チャネル品質が、前記端末デバイス（１３０）と更なるネットワークデバイス（１２０）との間の第２チャネル品質より低いかを判定するための第１閾値と、
前記第２チャネル品質が低いかを判定するための第２閾値と、
の１つ以上を含む、装置。
【請求項２５】
端末デバイス（１３０、９００）の装置（１０００）であって、
プロセッサ（１０１０）と、前記プロセッサ（１０１０）により実行可能な命令を含むメモリ（１０２０）と、を備え、
前記装置（１０００）は、
第１周期性に従い、ネットワークデバイス（１１０）から前記端末デバイス（１３０）により受信された第１基準信号の測定に基づくリポートを判定（７１０）し、
前記第１基準信号に関連付けられた第２基準信号を前記ネットワークデバイス（１１０）に送信させるために、前記ネットワークデバイス（１１０）に前記リポートを送信（７２０）し、
前記第２基準信号を受信するための第２周期性の表示を前記ネットワークデバイス（１１０）から受信する（７３０）、
様に動作する、装置。
【請求項２６】
請求項２５に記載の装置（１０００）であって、
前記装置（１０００）は、さらに、
前記第２周期性の前記表示を受信することに応答して、
前記第１周期性に従い前記端末デバイス（１３０）への前記第１基準信号を前記ネットワークデバイス（１１０）から受信し、
前記第２周期性に従い前記端末デバイス（１３０）への前記第２基準信号を前記ネットワークデバイス（１１０）から受信する、
様に動作する、装置。
【請求項２７】
請求項２６に記載の装置（１０００）であって、
前記装置（１０００）は、
第１幅の第１ビームを用いて送信された前記第１基準信号を受信することにより、前記第１基準信号を受信することにより、前記第１基準信号を受信する様に動作し、
前記第２基準信号を受信することは、第２幅の１つ以上の第２ビームを用いて送信された前記第２基準信号を受信することを含む、装置。
【請求項２８】
請求項２７に記載の装置（１０００）であって、
前記第２幅は、前記第１幅より狭い、装置。
【請求項２９】
請求項２６から２８のいずれか１項に記載の装置（１０００）であって、
前記装置（１０００）は、さらに、
前記第２基準信号の信号強度が予め決められた閾値より高いかを判定し、
前記第２基準信号の前記信号強度が前記閾値より高いと判定することに応答して、前記第２基準信号の測定に基づき更なるリポートを判定する、
様に動作する、装置。
【請求項３０】
請求項２９に記載の装置（１０００）であって、
前記装置（１０００）は、
前記第１基準信号の測定値と、前記第１ビームを用いて受信した更なる基準信号の更なる測定値とに基づき平均測定値を判定し、
判定した前記平均測定値にさらに基づき前記更なるリポートを判定することにより、
前記更なるリポートを判定する様に動作する、装置。
【請求項３１】
請求項２５から３０のいずれか１項に記載の装置（１０００）であって、
前記装置（１０００）は、前記第１周期性に従い更なるネットワークデバイス（１２０）から受信した第３基準信号の測定にさらに基づき前記リポートを判定することにより、前記リポートを判定する様に動作し、
前記リポートは、前記端末デバイス（１３０）が前記ネットワークデバイス（１１０）から前記更なるネットワークデバイス（１２０）にハンドオーバするかを示す、装置。
【請求項３２】
請求項３１に記載の装置（１０００）であって、
前記装置（１０００）は、さらに、
前記端末デバイス（１３０）がハンドオーバすると示す前記リポートに応答して、前記更なるネットワークデバイス（１２０）の識別子を前記ネットワークデバイス（１１０）から受信し、
受信した前記識別子に基づき、前記第２周期性に従い前記更なるネットワークデバイス（１２０）から、前記第３基準信号に関連付けられた第４基準信号を受信する、
様に動作する、装置。
【請求項３３】
請求項２５から３２のいずれか１項に記載の装置（１０００）であって、
前記装置（１０００）は、
無線ネットワーク一時識別子（ＲＮＴＩ）に基づき前記第２周期性の前記表示を受信することにより、前記第２周期性の前記表示を受信する様に動作し、
前記ＲＮＴＩは、前記端末デバイス（１３０−１、１３０−２、１３０−３）及び更なる端末デバイス（１３０−１、１３０−２、１３０−３）を含むグループに対して定義される、装置。
【請求項３４】
コンピュータ可読記憶媒体に格納され、命令を含むコンピュータプログラム製品であって、
前記命令は、少なくとも１つのプロセッサで実行されると、前記少なくとも１つのプロセッサに、請求項１から５のいずれか１項に記載の方法を実行させる、コンピュータプログラム製品。
【請求項３５】
コンピュータ可読記憶媒体に格納され、命令を含むコンピュータプログラム製品であって、
前記命令は、少なくとも１つのプロセッサで実行されると、前記少なくとも１つのプロセッサに、請求項６から９のいずれか１項に記載の方法を実行させる、コンピュータプログラム製品。
【発明の詳細な説明】
【技術分野】
【０００１】
本開示の実施形態は、概して、通信分野に関し、より詳しくは、基準信号送信及び測定のための方法及びデバイスに関する。
【背景技術】
【０００２】
第３世代パートナーシッププロジェクト（３ＧＰＰ）仕様に基づく様な通信ネットワークにおいて通信チャネルの品質を評価するため、所定の周期性に従い、基準信号がネットワークデバイス（基地局とも呼ばれる）から端末デバイス（ユーザデバイス又はユーザ装置とも呼ばれる）に送信される。端末デバイスは、受信した基準信号に基づきチャネルの品質を測定し、ネットワークデバイスに測定リポートを送信する。リポートは、ネットワークデバイスにより構成された周期性に従い、生成され、かつ、送信され得る。ネットワークデバイスによる基準信号送信のための周期性は、基準信号送信の周期性、或いは、より簡潔に送信周期性として参照され得る。端末デバイスによる基準信号測定のための周期性は、基準信号測定の周期性、或いは、より簡潔に測定周期性として参照され得る。
【０００３】
一般的に、ロングタームエボリューション（ＬＴＥ）ネットワークの様な現在の３ＧＰＰネットワークにおいて、基準信号を送信するための短い期間（１ｍｓの様な）が構成され、その結果、ネットワーク内の端末デバイスは、その信号を、必要するときに略何時でも受信することができる。精度レベルを達成するために、端末デバイスは、異なる周期性において送受信された基準信号を考慮してリポートを生成し得る。よって、リポートの期間は、基準信号を送信する期間より大きくなり得る。例えば、１ｍｓの周期で基準信号が送信される場合、端末デバイスは、４０ｍｓ毎に基準信号の１つのサンプルを受信し、リポートを生成するために５つのサンプルを使用し得る。この場合、リポートの測定期間は４０×５＝２００ｍｓである。
【発明の概要】
【発明が解決しようとする課題】
【０００４】
デバイス数及びトラフィック量の増大に伴い、高周波数で高い信頼性のコネクションを設定し、任意の場所及び時間において、任意の人又はものが情報にアクセスし、データを共有するネットワーク化された社会を可能にするため、第５世代（５Ｇ）無線通信システムが開発されている。３ＧＰＰの現在の標準化作業においては、ニューレディオ（ＮＲ）技術が提案されている。ＮＲ技術の幾つかの目的は、ネットワークデバイス及び端末デバイスの両方において、データレートを増加（ブースト）させ、消費電力を抑え、不要な干渉を可能な限り減少させることである。
【０００５】
よって、基準信号の送信周期性を増加（例えば、１００ｍｓのレベル）させる要求が生じ、その結果、ネットワークデバイスのリソース及び消費電力を、他の処理（送信、受信及び／又は計算）に確保することができる。しかしながら、送信周期性の増加は、幾つかの潜在的な問題を引き起こし得る。一方では、測定周期も同様に増加し、端末デバイスでの長い測定期間の結果となる。例えば、リポートを生成するために基準信号の５サンプルが必要な場合、端末デバイスは、少なくとも５００ｍｓだけ待つ必要がある。一方、端末デバイスの多くのユースケースにおいて、信頼性及びレイテンシーに関する厳しい要求があり、測定周期性の増加は、融通がきかず、受け入れられない。
【課題を解決するための手段】
【０００６】
概して、本開示の例示的実施形態は、基準信号送信及び測定のための方法及びデバイスを提供する。
【０００７】
第１の態様において、ネットワークデバイスにおいて実行される方法が提供される。本方法によると、ネットワークデバイスは、端末デバイスから、第１基準信号の測定に関するリポートを受信する。第１基準信号は、第１周期性に従い、ネットワークデバイスから端末デバイスに送信されたものである。その後、ネットワークデバイスは、リポートに基づき、第２基準信号を受信するための第２周期性の表示を端末デバイスに送信する。第２基準信号は、第１基準信号に関連付けられる。
【０００８】
幾つかの実施形態において、第２周期性の表示を送信することに応答して、ネットワークデバイスは、第１周期性に従い、第１基準信号を端末デバイスに送信し、第２周期性に従い、第２基準信号を端末デバイスに送信する。
【０００９】
幾つかの実施形態において、ネットワークデバイスは、第１幅の第１ビームを使用して第１基準信号を送信し、第２幅の１つ以上の第２ビームを使用して第２基準信号を送信し得る。
【００１０】
幾つかの実施形態において、第２幅は、第１幅より狭くし得る。
【００１１】
幾つかの実施形態において、ネットワークデバイスは、端末デバイスの位置に基づき、第２幅の１つ以上と、第２ビームの数を判定し得る。
【００１２】
幾つかの実施形態において、ネットワークデバイスは、リポートに基づき、端末デバイスがネットワークデバイスから更なるネットワークデバイスにハンドオーバするかを判定し、端末デバイスがハンドオーバするとの判定に応答して、第２周期性の表示を送信し得る。
【００１３】
幾つかの実施形態において、リポートは、第１周期性に従い更なるネットワークデバイスによって端末デバイスに送信された第３基準信号の測定に更に関し得る。ネットワークデバイスは、第４基準信号を送信するための第２周期性の表示を更なるネットワークデバイスに送信でき、第４基準信号は、第３基準信号に関連付けられる。
【００１４】
幾つかの実施形態において、ネットワークデバイスは、リポートに基づき、端末デバイスがネットワークデバイスから更なるネットワークデバイスにハンドオーバするかを判定し、端末デバイスがハンドオーバするとの判定に応答して、第２周期性の表示を更なるネットワークデバイスに送信し得る。
【００１５】
幾つかの実施形態において、端末デバイスがハンドオーバするとの判定に応答して、ネットワークデバイスは、第４基準信号を受信する端末デバイスに更なるネットワークデバイスの識別子を送信し得る。
【００１６】
幾つかの実施形態において、ネットワークデバイスは、更なるネットワークデバイスに、第４基準信号を送信する１つ以上の第３ビームの第３幅と、第３ビーム数との１つ以上を判定させるために、端末デバイスの位置を更なるネットワークデバイスに送信し得る。
【００１７】
幾つかの実施形態において、ネットワークデバイスは、第２周期性の表示をさらなる端末デバイスに送信し得る。
【００１８】
幾つかの実施形態において、ネットワークデバイスは、無線ネットワーク一時識別子（ＲＮＴＩ）に基づき、第２周期性の表示を送信し得る。ＲＮＴＩは、端末デバイス及び更なる端末デバイスを含む、端末デバイスのグループに対して定義され得る。
【００１９】
幾つかの実施形態において、ネットワークデバイスは、リポートの構成情報を、端末デバイスに送信し得る。
【００２０】
幾つかの実施形態において、ネットワークデバイスは、端末デバイスのトラフィックタイプを判定し、トラフィックタイプに基づきリポートのための構成情報を送信し得る。
【００２１】
幾つかの実施形態において、構成情報は、端末デバイスとネットワークデバイスとの間の第１チャネル品質が、端末デバイスと更なるネットワークデバイスとの間の第２チャネル品質より低いかを判定するための第１閾値と、第２チャネル品質が低いかを判定するための第２閾値と、の１つ以上を含み得る。
【００２２】
第２の態様において、端末デバイスにおいて実行される方法が提供される。本方法によると、端末デバイスは、第１基準信号の測定に基づきリポートを判定する。第１基準信号は、第１周期性に従い、ネットワークデバイスから端末デバイスにより受信される。端末デバイスは、ネットワークデバイスに第２基準信号を送信させるためにリポートを送信する。第２基準信号は、第１基準信号に関連付けられる。端末デバイスは、第２基準信号を受信するための第２周期性の表示をネットワークデバイスから受信する。
【００２３】
幾つかの実施形態において、第２周期性の表示を受信することに応答して、端末デバイスは、第１周期性に従い、端末デバイスへの第１基準信号をネットワークデバイスから受信し、第２周期性に従い、端末デバイスへの第２基準信号をネットワークデバイスから受信し得る。
【００２４】
幾つかの実施形態において、端末デバイスは、第１幅の第１ビームを使用して送信された第１基準信号を受信し、第２幅の１つ以上の第２ビームを使用して送信された第２基準信号を受信し得る。
【００２５】
幾つかの実施形態において、第２幅は、第１幅より狭くし得る。
【００２６】
幾つかの実施形態において、端末デバイスは、第２基準信号の信号強度が所定の閾値より高いかを判定し、第２基準信号の信号強度が閾値より高いと判定することに応答して、第２基準信号の測定に基づき更なるリポートを判定し得る。
【００２７】
幾つかの実施形態において、端末デバイスは、第１基準信号の測定値と、第１ビームを使用して受信した更なる基準信号の更なる測定値とに基づき平均測定値を判定し、判定した平均測定値にさらに基づき更なるリポートを判定し得る。
【００２８】
幾つかの実施形態において、端末デバイスは、第１周期性に従い更なるネットワークデバイスから受信した第３基準信号の測定にさらに基づきリポートを判定し得る。リポートは、端末デバイスがネットワークデバイスから更なるネットワークデバイスにハンドオーバするかを示す。
【００２９】
幾つかの実施形態において、端末デバイスがハンドオーバすることを示すリポートに応答して、端末デバイスは、ネットワークデバイスから更なるネットワークデバイスの識別子を受信し、受信した識別子に基づき、第２周期性に従い更なるネットワークデバイスから第４基準信号を受信し得る。第４基準信号は、第３基準信号に関連付けられる。
【００３０】
幾つかの実施形態において、端末デバイスは、ＲＮＴＩに基づき第２周期性の表示を受信でき、ＲＮＴＩは、端末デバイス及び更なる端末デバイスを含む、端末デバイスのグループに対して定義される。
【００３１】
第３の態様において、ネットワークデバイスが提供される。ネットワークデバイスは、端末デバイスから、第１基準信号の測定に関するリポートを受信する様に構成された受信ユニットを備え、第１基準信号は、第１周期性に従い、ネットワークデバイスから端末デバイスに送信されたものである。ネットワークデバイスは、リポートに基づき、第２基準信号を受信するための第２周期性の表示を端末デバイスに送信する様に構成された送信ユニットも備え、第２基準信号は、第１基準信号に関連付けられる。
【００３２】
第４の態様において、端末デバイスが提供される。端末デバイスは、第１基準信号の測定に基づきリポートを判定する様に構成された判定ユニットを備え、第１基準信号は、第１周期性に従い、ネットワークデバイスから端末デバイスにより受信されたものである。端末デバイスは、ネットワークデバイスに第２基準信号を送信させるためにリポートをネットワークデバイス送信する送信ユニットも含み、第２基準信号は、第１基準信号に関連付けられる。端末デバイスは、第２基準信号を受信するための第２周期性の表示をネットワークデバイスから受信する様に構成された受信ユニットをさらに備えている。
【００３３】
第５の態様において、ネットワークデバイスの装置が提供される。装置は、プロセッサとメモリを有する。メモリは、プロセッサにより実行可能な命令を含み、それにより、装置は、第１の態様による方法を実行する様に動作する。
【００３４】
第６の態様において、端末デバイスの装置が提供される。装置は、プロセッサとメモリを有する。メモリは、プロセッサにより実行可能な命令を含み、それにより、装置は、第２の態様による方法を実行する様に動作する。
【００３５】
第７の態様において、コンピュータ可読記憶媒体に格納されたコンピュータプログラム製品が提供される。コンピュータプログラム製品は、少なくとも１つのプロセッサで実行されると、少なくとも１つのプロセッサに、第１の態様又は第２の態様による方法を実行させる命令を含む。
【００３６】
本開示の実施形態による以下の説明を通じて、基準信号送信の周期性は、ネトワークデバイスにより適応的に変更されることが理解される。周期性の変更は、端末デバイスからのリポートによりトリガされる。よって、特定の端末デバイスが高速測定を実行する必要がある場合、当該特定の端末デバイスのための基準信号送信及び測定の周期性を短くし、それ以外の場合には高いレベルの周期性を維持することが可能になる。発明の要約は、本開示の実施形態の鍵となる、或いは、重要な特徴を特定することを目的とするものではなく、本開示の範囲を制限することを意図するものではないことが理解される。本開示の他の特徴は、以下の詳細な説明により明らかになる。
【００３７】
図面を参照する本開示の幾つかの実施形態の詳細な記述により、本開示の上述した及び他の目的、特徴及び利点が明らかになる。
【図面の簡単な説明】
【００３８】
【図１】本開示の実施形態が実現され得る通信ネットワークのブロック図。
【図２】本開示の幾つかの実施形態による、基準信号送信及び測定処理のフローチャート。
【図３】本開示の幾つかの実施形態による、ビームを用いた基準信号の送信を示す図。
【図４】本開示の幾つかの実施形態による、ビームを用いた基準信号の測定を示す図。
【図５】本開示の幾つかの他の実施形態による、ビームを用いた基準信号の測定を示す図。
【図６】本開示の幾つかの実施形態に従う方法のフローチャート。
【図７】本開示の幾つかの他の実施形態に従う方法のフローチャート。
【図８】本開示の幾つかの実施形態に従うネットワークデバイスのブロック図。
【図９】本開示の幾つかの実施形態に従う端末デバイスのブロック図。
【図１０】本開示の実施形態を実行するのに適切なデバイスの簡略化したブロック図。
【発明を実施するための形態】
【００３９】
図面を通じて、同じ又は同様の参照符号は、同じ又は同様の要素を示す。
【００４０】
本開示の原理について、幾つかの例示的な実施形態を参照して記述する。これらの実施形態は、説明を目的とし、当業者に本開示を理解させ、実現させるものであり、本開示の範囲を限定することを提案するものではないことが理解される。本開示は、以下の記載以外の様々な方法で実現され得る。
【００４１】
以下の説明及び請求の範囲において、定義されない限り、使用される総ての技術的及び科学的用語は、本開示の技術分野に属する当業者により通常理解されるのと同じ意味を有する。
【００４２】
使用される、用語"ネットワークデバイス"又は"基地局"（ＢＳ）は、端末デバイスが通信できるセル又はカバレッジを提供する、或いは、ホストすることができるデバイスを参照する。ネットワークデバイスの例は、ノードＢ（ノードＢ又はＮＢ）、発展型ノードＢ（ｅノードＢ又はｅＮＢ）、リモート無線ユニット（ＲＲＵ）、無線ヘッド（ＲＨ）、リモート無線ヘッド（ＲＲＨ）、フェムトノードやピコノードの様な低電力ノードであり得るが、それらに限定されない。以下では、説明を目的とし、ネットワークデバイスの例としてｅＮＢを参照して、幾つかの実施形態を記述する。
【００４３】
使用される、用語"端末デバイス"又は"ユーザ装置"（ＵＥ）は、無線又は有線通信能力を有する任意のデバイスを参照する。端末デバイスの例は、パーソナルコンピュータ、デスクトップ、移動電話、セルラフォン、スマートフォン、パーソナルデジタルアシスタント（ＰＤＡ）、ポータブルコンピュータ、デジタルカメラの様な撮像デバイス、ゲームデバイス、音楽格納再生装置、又は、無線又は有線インターネットアクセスが可能であり、かつ、ブラウジングが可能なインターネット装置を含むが、それらに限定されない。以下では、説明を目的とし、端末デバイスの例としてＵＥを参照して、幾つかの実施形態を記述し、本開示において、用語"端末デバイス"及び"ＵＥ"は、互いに交換可能に使用され得る。
【００４４】
単数形式は、文脈が明らかに他の場合を示している場合を除き、複数形式を含むことが意図される。用語"備える"及びその変形は、オープンタームとして解釈される。用語"基づき"は、"少なくとも部分的に基づき"と読むべきである。用語"一実施形態"は、"少なくとも１つの実施形態"と読むべきである。用語"他の実施形態"は、"少なくとも１つの他の実施形態"と読むべきである。明示的及び暗示的な他の定義が以下に含まれ得る。
【００４５】
幾つかの例において、値、手順、装置は、"最も良い"、"最も低い"、"最も高い"、"最小"、"最大"等を参照する。その様な記述は、多くの使用される機能的な置換形態からの選択を示すことが意図され、その様な選択は、より良い、より小さい、より高いである必要はなく、さもなければ、他の選択が望ましい。
【００４６】
現在の通信ネットワークにおいて、基準信号の送信周期性は、静的なレベルで構成される。例えば、セル特定基準信号（ＣＲＳ）は、ネットワークデバイスにより１ｍｓ毎に送信される。現在の仕様において、様々な目的のため、基準信号の測定周期についての様々な要求が特定されている。例えば、ハンドオーバを可能にするため、不連続受信（ＤＲＸ）サイクルがないケースにおいて、２００ｍｓの測定周期が要求され、端末デバイスの物理レイヤが高次レイヤに関連する測定をリポートする遅延を制限する。ＤＲＸサイクルを伴う他のケースにおいて、イントラ周波数（周波数間）の場合、４０ｍｓより大きいＤＲＸサイクルでは、ＤＲＸサイクル長に比例して測定周期は増加する。
【００４７】
１例として、ＤＲＸがＲＲＣ＿ＣＯＮＮＥＣＴＥＤ状態で使用される場合、周波数分割複信（ＦＤＤ）の周波数間測定の測定周期（Ｔｍｅａｓｕｒｅ＿ｉｎｔｒａと表記）を以下の表１に示す。
【００４８】
【表１】
2019533920.tif 000003
【００４９】
表１によると、４０ｍｓ未満の長さのＤＲＸサイクルでは、測定周期は、２００ｍｓ固定であり、４０ｍｓより長いＤＲＸサイクル長の場合より５倍長い。４０ｍｓのＤＲＸサイクル長から測定期間を増加させる理由は、実際、４０ｍｓのギャップが端末デバイスでの基準信号測定の最小値として使用され、これにより、精度レベルを達成するために、基準信号の５サンプルが、２００ｍｓの小さな測定期間内に得られるからである。フェーディングは素早く変化せず、より信頼できる測定値を得るためには、測定期間に渡りサンプルを分散させることが良いため、測定間隔の減少は役に立たない。測定期間が２００ｍｓより大きい場合、測定間隔は、使用中のＤＲＸサイクル長として定義され得る。
【００５０】
ハンドオーバのための周波数間測定の場合、現在の仕様においては、測定ギャップが周波数間測定にスケジュールされた場合、或いは、端末デバイスがギャップ無しの測定の実行能力をサポートしている場合、端末デバイスの物理レイヤは、ある測定精度で高次レイヤに測定を報告できることが要求されている。これらのケースにおいて、測定期間（Ｔ＿Ｍｅａｓｕｒｅｍｅｎｔ＿Ｐｅｒｉｏｄ＿Ｉｎｔｅｒ＿ＦＤＤと表示）は、以下の表２として仕様化されている。
【００５１】
【表２】
2019533920.tif 000004
【００５２】
端末デバイスは、３つのＦＤＤインター周波数、或いは、端末デバイスが増加されたＵＥキャリア監視発展型ユニバーサル地上無線アクセス（Ｅ−ＵＴＲＡ）をサポートしている場合、８つのＦＤＤインター周波数までに対してはＦＤＤインター周波数当たり少なくとも４周波数間セルの基準信号測定を実行でき、端末デバイスの物理レイヤは、表２に定義された測定期間で、高次レイヤにＲＳＲＰ，ＲＳＲＱ及びＲＳ−ＳＩＮＲ測定をリポートできる。
【００５３】
周波数間測定においてＤＲＸが使用されると、測定期間（Ｔｍｅａｓｕｒｅ＿ｉｎｔｅｒと表記）は、以下の表３として仕様化される。
【００５４】
【表３】
2019533920.tif 000005
【００５５】
表３に基づき、周波数間セルを測定する時間は、４８０ｍｓであり、測定されるべきキャリア周波数の数と共に線形的に増加する。さらに、周波数間のケースにおいて、８０ｍｓより長いＤＲＸサイクルでは、ＤＲＸサイクルに比例して測定期間も増加する。
【００５６】
ＮＲのチャネル変動は、高周波数でのより低い分散により、例えば、ＬＴＥの様な現在のネットワークより高速、且つ、より厳しくなることが予想される。例えば、"アラウンド・ザ・コーナ"状態といた、シャドウイングにより、サービングビームのＳＩＮＲの突然の劣化が生じ得る。サービングビームのＳＩＮＲは、５〜１０ｍｓ内に２０ｄＢ以上落ち込み得る。その様な、偶発的な落ち込みは、１０〜３０ＧＨｚにおいては避けることができず、モビリティアルゴリズムにより処理される必要がある。
【００５７】
これは、ハンドオーバ測定が、例えば、ＮＲにおいては、ＬＴＥより重要になることを意味している。典型的には、ピンポン効果を避けるために、ハンドオーバ測定は時間的に平均化され、比較的遅い。ＬＴＥの周波数内（イントラ周波数）ハンドオーバ測定期間は２００ｍｓであり、周波数間測定期間は４８０ｍｓである。これらのハンドオーバ測定は遅すぎるため、ＮＲにおける突然のチャネル変化に反応できない。ＮＲへの要求は、高い信頼性のコネクションを持つことであり、ハンドオーバ実行時に、非常に低いデータ断とすることである。これを解決する1つの方法は、ＮＲマルチ接続及びＬＴＥ−ＮＲタイトインテグレーションの様なマルチ接続（ＭＣ）解決策を使用することである。
【００５８】
現在の通信標準において、異なる周波数内測定及び周波数間測定の様々な要求が定義されているが、端末デバイスは、常に、基準信号の複数のサンプルを測定でき、基準信号の短い測定期間により、あり精度レベルの対応リポートを判定できる。ＮＲの高周波数において高信頼度のコネクションを達成するために、基準信号の測定を素早くさせる（例えば、周波数間測定及び周波数内測定の両方において）、或いは、現在の標準より素早くさせることが望まれる。
【００５９】
しかしながら、上述した様に、開発中のＮＲ技術において、要求されるデータレート、エネルギ効率、及び、干渉レベルに適合させるために、基準信号の送信周期性を（増加）長くすることが提案されている。しかしながら、送信周期性の増加は、幾つかの潜在的な問題を引き起こし得る。問題の１つは、測定周期性の対応する増加である。明らかに、これは、高速な基準信号測定の要求と矛盾する。加えて、測定周期性の増加と同様に送信周期性の増加は、多くのユースケース、特に高信頼かつ低遅延通信（ＵＲＬＬＣ）、或いは、発展型車両−エブリシング（ｅＶ２ｘ）通信のケースにおいて、信頼性及び遅延要求の妥協の結果となり得る。例えば、高いモビリティケースのシナリオにおいて、２つの測定リポート間の高いギャップは、ハンドオーバ失敗率又はハンドオーバ遅延を増加させ、実時間要求を伴うトラフィックに対して望ましくない。
【００６０】
上述した及び他の潜在的な問題を少なくとも部分的に解決するために、本開示の実施形態は、基準信号送信及び測定の新たな解決策を提供する。基準信号を送信する周期性（送信周期性としても参照）を固定的及び静的に構成する代わりに、送信周期性は、端末デバイスのためにネットワークデバイスにより適応的に変更され得る。
【００６１】
特に、第１構成において、第１基準信号が、比較的な高レベルな周期性に従い送信される。基準信号送信の頻度を増加させるために、第２構成において、他の周期性に従い追加の第２基準信号が送信される。第１基準信号及び第２基準信号の両方は、リポートを生成するために端末デバイスにより受信され、かつ、測定され得る。この様に、基準信号測定の周期性は（短く）減少され、基準信号送信の周期性も同様である。周期性の変更は、端末デバイスからのリポートによりトリガされ、リポートは、端末デバイスが受信した第１基準信号に基づき判定したものである。よって、端末デバイスが高速測定を実行する必要がある場合、基準信号送信及び測定の周期性を（短く）低減し、それ以外の場合には高いレベルの周期性を維持することが可能になる。
【００６２】
図１は、本開示の実施形態が実現される例示的な通信ネットワーク１００を示している。ネットワーク１００は、ネットワークデバイス１１０と、ネットワークデバイス１１０によりサービス提供される、３つの端末デバイス１３０−１、１３０−２、１３０−３（纏めて端末デバイス１３０）と、を含む。ネットワークデバイス１１０のカバレッジは、セル１０２としても参照される。ネットワーク１００は、セル１０２に隣接するセル１０４も含み、そのカバレッジは、ネットワークデバイス１２０により提供される。基地局及び端末デバイスの数は例示であり、制限するものではないことが理解される。ネットワーク１００は、本開示の実施形態を実現するのに適合された任意の適切な数の基地局及び端末デバイスを含み得る。図示しないが、セル１０４には１つ以上の端末デバイスが存在し、ネットワークデバイス１２０によりサービス提供される。
【００６３】
ネットワークデバイス１１０は、３つの端末デバイス１３０と通信し得る。ネットワークデバイス１１０は、３つの端末デバイス１３０の１つ以上に基準信号を、ブロードキャスト、マルチキャスト及び／又はユニキャストの方法で送信し得る。基準信号は、ネットワークデバイス及び端末デバイス１３０の両方により既知の信号である。基準信号を受信して測定することにより、各端末デバイス１３０は、基準信号の測定に関するリポートを判定し、リポートをネットワークデバイス１１０に送信し得る。リポートに基づき、ネットワークデバイス１１０は、端末デバイス１３０との通信チャネルの品質を認識し得る。
【００６４】
セル１０４に近接することにより、端末デバイス１３０の幾つかは、ネットワークデバイス１２０の通信により干渉を受け得る。例えば、ネットワークデバイス１２０も、セル１０４内の端末デバイスに基準信号を送信し得る。セル１０２のセルエッジ領域に位置する端末デバイス１３０−３は、ネットワークデバイス１２０が送信した基準信号も受信し得る。幾つかの構成において、ネットワーク１２０からの基準信号の測定は、端末デバイス１３０ー３により測定され得る。
【００６５】
ネットワーク１００の通信は、ロングタームエボリューション（ＬＴＥ）、ＬＴＥエボリューション、ＬＴＥアドバンスド（ＬＴＥ−Ａ）、広帯域符号分割多重アクセス（ＷＣＤＭＡ）、符号分割多重アクセス（ＣＤＭＡ）及びＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）等を含むがそれらに限定されない、任意の適切な標準に準拠し得る。さらに、通信は、現在既知の、或いは、将来に開発される任意世代の通信プロトコルに従い行われ得る。通信プロトコルの例は、第１世代（１Ｇ）、第２世代（２Ｇ）、２．５Ｇ、２．７５Ｇ、第３世代（３Ｇ）、第４世代（４Ｇ）、４．５Ｇ、第５世代通信プロトコルを含むが、これらに限定されない。
【００６６】
上述した様に、本開示の実施形態によると、ネットワークデバイス１１０は、端末デバイス１３０からのリポートに基づき、基準信号送信及び測定の周期性を変更するか否かを判定する。本開示の原理及び実装の詳細を、基準信号送信及び測定の処理２００を示す図２を参照して説明する。説明目的で、方法２００は、図１を参照して記述する。
【００６７】
図示する様に、処理２００には、端末デバイス１３０と、端末デバイス１３０にサービス提供するネットワークデバイス１１０（図２の"サービングネットワークデバイス"）と、ネットワークデバイス１１０に隣接するネットワークデバイス１２０（図２の"隣接ネットワークデバイス"）と、が含まれ得る。幾つかの実施形態において、ネットワークデバイス１２０及びその動作は、省略され得る。
【００６８】
ネットワークデバイス１１０は、第１周期性に従い基準信号（第１基準信号として参照）を端末デバイス１３０に送信する（２０５）。幾つかの実施形態において、データレートを増加（ブースト）させるため、ネットワークデバイス１１０及び端末デバイス１３０の消費電力を低減させるため、及び／又は、不要な干渉を低減させるため、第１周期性は、比較的長いレベルに構成され得る。例えば、第１周期性は、第１基準信号が、５０ｍｓ、１００ｍｓ、２００ｍｓ、或いは、任意の他の値の周期で送信される様に構成され得る。端末デバイス１３０が、第１基準信号が期待される時間位置を判定でき、この基準信号を受信できる様に、第１基準信号が送信される前に、端末デバイス１３０には、第１周期性が通知され得る。幾つかのケースにおいて、第１周期性は、ネットワークデバイス１１０とのコネクションが設定された際、或いは、その後に、端末デバイス１３０に構成され得る。
【００６９】
幾つかの実施形態において、第１基準信号は、セル特定基準信号（ＣＲＳ）、ＵＥ特定基準信号、チャネル状態表示−基準信号（ＣＳＩ−ＲＳ）の様な、任意の下りリンク基準信号であり得る。ネットワークデバイス１１０は、ネットワークデバイス１１０と端末デバイス１３０との間のチャネル品質を推定するために、第１基準信号を送信し得る。幾つかの実施形態において、第１基準信号は、ブロードキャスト又はマルチキャストで送信され、その結果、端末デバイス１３０に加えて、ネットワークデバイス１１０によりサービス提供される他の端末デバイスも、この信号を受信できる。幾つかの他の実施形態において、第１基準信号は、端末デバイス１３０専用であり、この場合、ユニキャストで送信され得る。第１周期性により、第１基準信号は、異なる時間ポイントにおいて繰り返し送信され得る。ここで、時間ポイントで送信される（或いは、受信される）第１基準信号は、この基準信号のサンプル（コピー又はインスタンス）として参照され得る。
【００７０】
端末デバイス１３０は、ネットワークデバイス１１０から第１基準信号を受信し、受信した第１基準信号の測定に基づきリポートを判定する（２１５）。端末デバイス１３０は、第１基準信号の様々な面の測定を行い得る。幾つかの実施形態において、端末デバイス１３０は、Ｌ３測定値を判定し得る。例えば、第１基準信号の基準信号受信電力（ＲＳＲＰ）、基準信号受信品質（ＲＳＲＱ）、及び／又は、基準信号−信号対干渉及び雑音比（ＲＳ−ＳＩＮＲ）が、第１基準信号について測定され得る。
【００７１】
リポートは、例えば、ネットワークデバイス１１０からの構成に基づき生成され得る。幾つかの実施形態において、仕様で定義された１つ以上のＡイベント（例えば、Ａ１イベントからＡ６イベントの任意のイベント）が定義され、端末デバイス１３０に構成され得る。端末デバイス１３０は、測定結果に基づき、リポートを送信するか否かを判定し得る。幾つかの実施形態において、以下に説明する様に、リポートの幾つかの特定の構成が定義され、端末デバイス１３０に構成され得る。
【００７２】
幾つかの実施形態において、隣接ネットワークデバイス１２０も、基準信号（第３基準信号として参照）を送信する（２１０）。第３基準信号は、第１基準信号と同じ第１周期性に従い送信され得る。つまり、ネットワークデバイス１２０での基準信号送信のための周期性の構成は、ネットワークデバイス１１０と同じである。幾つかの例において、第３基準信号のタイプは、第１基準信号と同じであり得る。例えば、第１基準信号及び第３基準信号の両方は、ＣＲＳである。
【００７３】
端末デバイス１３０とネットワークデバイス１２０との間の近接により（例えば、端末デバイス１３０がネットワークデバイス１１０のセルエッジ領域に位置している）、端末デバイス１３０は、第３基準信号を受信する。リポートの判定に、端末デバイス１３０とネットワークデバイス１１０との間の第１チャネル品質と、端末デバイス１３０とネットワークデバイス１２０との間の第２チャネル品質の比較が必要な幾つかのケースにおいて、端末デバイス１３０は、受信した第３基準信号を測定し、第３基準信号の測定にさらに基づきリポートを判定し得る。その様なケースは、一連のＡイベントが端末デバイス１３０で構成されている例を含む。
【００７４】
一例として、現在のサービングネットワークデバイス１１０から異なるネットワークデバイスへの端末デバイス１３０のハンドオーバをトリガするために使用されるＡ３イベントをリポートする様に、端末デバイス１３０が構成されている場合、端末デバイス１３０は、ネットワークデバイス１２０の第２チャネル品質が、サービングネットワークデバイス１１０の第１チャネル品質にオフセットを加えた値より高いかを判定し得る。この場合、第１基準信号及び第３基準信号の両方の測定が決定に使用される。第２チャネル品質が高いことに応答して、Ａ３イベントのリポートが生成され、ネットワークデバイス１１０に送信される。
【００７５】
端末デバイス１３０は、第１基準信号の測定に少なくとも関連する、判定したリポートをネットワークデバイス１１０に送信する（２２５）。幾つかの実施形態において、リポートは、周期的に、或いは、予め決められたイベントに基づき送信され、物理（ＰＨＹ）チャネル（例えば、媒体アクセス制御（ＭＡＣ  ＣＥ）又は無線リソース制御（ＲＲＣ）シグナリング）を介して配信され得る。
【００７６】
本開示の実施形態において、リポートの受信に応答して、ネットワークデバイス１１０は、基準信号の密度を増加させる様に（或いは、基準信号送信の周期性を減少させる様に）、第２基準信号を端末デバイスに送信するかを決定する。つまり、基準信号を受信した場合、リポートの送信は、端末デバイス１３０の通常動作であるが、リポートは、ネットワークデバイス１１０にとって、基準信号送信の周期性の変更を有効化又は無効化するトリガとして動作し得る。よって、ネットワークデバイス１１０は、リポートに基づき、追加の基準信号（第２基準信号として参照）を受信するための第２周期性の表示を端末デバイス１３０に送信する（２３５）。この場合、ネットワークデバイス１１０は、リポートに基づき、基準信号送信の周期性を減少させ、よって、追加の第２基準信号を送信するかを判定し、第２周期性の表示を送信する。第２基準信号を送信する目的は、基準信号送信の周期性を減少させ、基準信号測定の周期性を減少させることである。
【００７７】
第２基準信号は、第１基準信号に関連付けられる。使用される用語"関連付けられる"は、第２基準信号は、基準信号測定の点で第１基準信号と同じ役割を有するとの意味である。例えば、第２基準信号は、ＣＲＳの様な第１基準信号と同じタイプであり、第１基準信号と同様な方法でのリポートの生成に使用され得る。例えば、第１基準信号及び第２基準信号の両方は、Ａイベント（Ａ１〜Ａ６のいずれか）のリポートに関連し得る。幾つかの例において、第２基準信号は、第１基準信号と同じであり得る。もちろん、それらは互いに異なり得る（しかしながら、両方は、端末デバイス１３０及びネットワークデバイス１１０により知られている）。２つの異なる用語（第１基準信号及び第２基準信号）を使用するのは、通常モードにおける第１基準信号の送信と比較して、第２基準信号は、基準信号の密度を増加させるために送信されるからである。
【００７８】
幾つかの実施形態において、端末デバイス１３０の必要性に応じて、基準信号密度を増加させる（基準信号送信を短くする）場合、それは望ましい。例えば、端末デバイス１３０がセルエッジ領域にいるときに生じ得る、端末デバイス１３０が更なるネットワークデバイスにハンドオーバする幾つかのケースにおいて、短くした基準信号送信が望ましく、その結果、対応する高速基準信号測定に基づき、高速ハンドオーバが得られる。幾つかの実施形態において、ネットワークデバイス１１０は、端末デバイス１３０がネットワークデバイス１１０から更なるネットワークデバイス（例えば、隣接ネットワークデバイス１２０）にハンドオーバするかを判定し得る。端末デバイス１３０がハンドオーバすると判定すると、第２周期性の表示が、端末デバイス１３０に送信される。
【００７９】
ネットワークデバイス１１０は、受信リポートに基づき、端末デバイス１３０がハンドオーバするかを判定し得る。例えば、リポートが、ネットワークデバイス１２０のチャネル品質が、現在のサービングネットワークデバイス１１０より良いことを示している場合（例えば、Ａ３イベントに関するリポート）、ネットワークデバイス１１０は、端末デバイス１３０がセルエッジに向けて移動しており、ネットワークデバイス１２０にハンドオーバすると判定し得る。
【００８０】
幾つかの実施形態において、実際のハンドオーバが生じる前に基準信号高密度化を可能にするため、リポートに関する幾つかの特別な構成が定義され得る。一実施形態において、リポートを判定するための閾値が、端末デバイス１３０に構成される。例えば、ネットワークデバイス１１０は、Ａ３イベントをリポートするための閾値（オフセット値）を設定し得る。Ａ３イベントのリポートを早期にトリガするため、オフセット値は、ゆとりを持った値に設定され得る。オフセット値を４ｄＢに設定することは、ネットワークデバイス１２０のチャネル品質が、サービングネットワーク１１０のチャネル品質に４ｄＢだけ加えた値より高くなると、Ａ３イベントのリポートが端末デバイス１３０により送信されることを意味し、０ｄＢの新たなオフセット値が定義されると、その結果、ネットワークデバイス１２０のチャネル品質が増加可能と端末デバイス１３０が発見すると直ぐに、Ａ３イベントのリポートが送信される。この様に、現在の仕様のＡ３イベントの定義が再利用され得る。この様に、基準信号密度が、このリポートに基づき増加され得る。基準信号の高密度化をトリガするために、リポートの他の構成が構成され得る。
【００８１】
第２周期性の表示が端末デバイス１３０に送信され、その結果、デバイスは、第２基準信号が期待される時間位置を判定できる。第２基準信号を送信する第２周期性は、第１基準信号を送信する第１周期性と同じであっても、異なっていても良い（例えば、より低いレベル又はより高いレベル）。第２基準信号の追加の送信により、端末デバイス１３０が、第１基準信号のみの測定に基づき判定したリポートと比較して、より速く更なるリポートを判定して送信することを可能にする。
【００８２】
第２周期性の表示は、端末デバイスに、基準信号を高速で受信する準備を行うことを通知するために使用され得る。ネットワークデバイス１１０は、基準信号を送信するために時間及び帯域幅リソースを使用するので、基準信号高密度化が、端末デバイス１３０の様に他の多くの端末デバイスにより期待されないとしても、他の多くの端末デバイスが、それからの利点を得ることが望ましい。幾つかの実施形態において、ネットワークデバイス１１０は、サービングセル１０２（及び／又は他のセル）に位置し得る１つ以上の更なる端末デバイスに第２周期性の表示を送信し得る。幾つかの実施形態において、更なる端末デバイスは、端末デバイス１３０と同じ端末デバイスのグループであり得る（端末デバイスのグループは、ある基準に基づきグループ化される）。これらの実施形態において、第２周期性の表示は、端末デバイス１３０を含むグループに定義された無線ネットワーク一時識別子（ＲＮＴＩ）に基づき、更なる端末デバイス及び端末デバイス１３０に送信され得る。例えば、その表示を伴うＲＮＴＩベースのネットワークシグナリングがブロードキャスト又はマルチキャストされ得る。
【００８３】
第２周期性の表示を送信することに応答して、ネットワークデバイス１１０は、第２周期性に従い第２基準信号を端末デバイス１３０に送信し得る（２２０）。上述した様に、第２基準信号を送信する目的は、基準信号送信の周期性を減少させ、これにより基準信号測定の周期性を減少させることである。幾つかの実施形態において、この目的は、第１周期性に従い第１基準信号を送信し、第２周期性に従い第２基準信号を追加で送信することにより達成される。第１基準信号及び第２基準信号を送信する時間位置は、異なる様に定義され得る。この場合、第１基準信号も、端末デバイス１３０に送信され得る。
【００８４】
一例として、第１周期性は、１００ｍｓのレベルに構成され、よって、第１基準信号は、０ｍｓ、１００ｍｓ、２００ｍｓ等の時間位置で送信され得る。第２周期性を１００ｍｓのレベルに構成するものとすると、第２基準信号は、５０ｍｓ、１５０ｍｓ、２５０ｍｓ等の時間位置で送信され得る。よって、基準信号送信の周期性は、５０ｍｓのレベルであり、元の第１周期性と比較して減少される。この場合、第１基準信号は、依然、通常通り送信され、第２基準信号が送信に追加される。
【００８５】
幾つかの他の実施形態において、第２基準信号は、この基準信号の送信が基準信号送信の周期性を減少させる限り、第２周期性に従い任意の他の方法で送信され得る。一例において、第２周期性は、第１周期性より小さく構成され、第２基準信号のみが、表示の送信後に送信され得る。他の例において、第２基準信号は、第２周期性による時間位置で送信され、第１基準信号は、他の周期性により送信される。
【００８６】
幾つかの実施形態において、第１基準信号及び第２基準信号の１つ以上は、ビームを用いて送信される。第１基準信号は、第１幅の第１ビームを用いて送信される。第１基準信号が端末デバイス１３０のみではなく他の端末デバイスにも送信されるケースにおいて、第１ビームは、広い（ブロード）ビームであり、その結果、ネットワークデバイス１１０のカバレッジ内の複数の端末デバイスがこの信号を受信し得る。第２基準信号は、第２幅の第２ビームを用いて送信される。幾つかの実施形態において、第２基準信号を基準信号高密度化が必要な端末デバイスのみに送信することが望まれ、よって、第２ビームは狭いビームであり得る。つまり、第２ビームの第２幅は、広い第１ビームの第１幅より狭くできる。
【００８７】
広いビームで第１基準信号を送信し、狭いビームで第２基準信号を送信することにより、端末デバイスの多くは、比較的に長い周期性で第１基準信号を受信でき、高密度化が必要な端末デバイス（例えば、端末デバイス１３０）のみが、第２基準信号を受信し得る。幾つかの実施形態において、１より多い第２ビームが、第２基準信号を送信するために使用され得る。例えば、異なる位置にある複数の端末デバイスが、基準信号高密度化を必要とする場合、複数の第２ビームがこれらのデバイスをカバーするために使用され得る。複数の第２ビームは、端末デバイス１３０の正確な位置がネットワークデバイス１１０に知られていない場合にも役に立ち得る。第２ビームの数は、端末デバイス１３０の位置（リポートの様な利用可能な情報に基づき推定され得る）に基づき判定され得る。第２ビームの幅は、端末デバイス１３０の位置に依存し得る。
【００８８】
第２ビームが幾つかの他の端末デバイスに信号を送信するために使用される場合、その数及び幅は、これらデバイスの位置（及び／又は数）にも関連付けられる。ネットワークデバイス１１０は、第２ビームの数及びその幅を他の基準に基づき判定し得る。第１ビームを広いビーム（又は、第２ビームより広い）として記述したが、幾つかの他の実施形態において、例えば、第１基準信号が端末デバイスのグループや、特定の端末デバイスに送信される場合、第１ビームは、狭いビームを含み得る。
【００８９】
図３は、本開示の幾つかの実施形態による、ビームを用いた基準信号の送信を示している。参照符号３１０により示される上側において、第１基準信号３０４は、例えば、図２の例の２０５で、広いビーム３０２を用いて、第１周期性に従い送信される。第１基準信号３０４の異なるサンプルが、時間位置Ｔ１、Ｔ２及びＴ３で送信される。参照符号３２０により示される下側において、第２基準信号３０８が、狭いビーム３０６を用いて、第２周期性に従い追加で送信されているが、第１基準信号３０４は、依然、広いビーム３０２を用いて、第１周期性に従い送信されている。第１基準信号３０４の幾つかのサンプルは、時間位置Ｔ１、Ｔ２及びＴ３で送信され、第２基準信号３０８の幾つかのサンプルは、時間位置Ｔ１´、Ｔ２´及びＴ３´で送信される。つまり、基準信号高密度化において、第１基準信号の送信は、同じままで維持され、第２基準信号の追加の送信が追加されている。
【００９０】
第１基準信号３０４は、上側３１０及び下側３２０の両方において、時間位置Ｔ１、Ｔ２及びＴ３で送信されているが、追加の時間位置は、上側３１０及び下側３２０の両方において異なり得る。例えば、下側３２０に示す基準信号送信は、ネットワークデバイス１１０により、図２の２２０で実行され得る。第１基準信号及び第２基準信号の送信に基づき、端末デバイス１３０は、それらを受信し、以下に述べる基準信号測定を実行し得る。
【００９１】
幾つかの実施形態において、ネットワークデバイス１１０での基準信号高密度化は、ネットワークデバイス１２０の様な幾つかの隣接ネットワークデバイスに通知され得る。図２に戻り、ネットワークデバイス１１０は、第２周期性の同じ表示をネットワークデバイス１２０に送信し得る（２３０）。第２周期性の表示に基づき、ネットワークデバイス１２０は、第３基準信号に関連付けられ得る基準信号（第４基準信号として参照）を端末デバイス１３０に送信し得る。第３基準信号と第４基準信号の関係は、第１基準信号と第２基準信号の関係と同様であり得る。表示は、例えば、基準信号送信の周期性を、第３基準信号の元の第１周期性からより高いレベルに短くするために、ネットワークデバイス１２０が端末デバイス１３０への基準信号高密度化を提供させるために使用され得る。表示は、Ｘ２インタフェースの様な、ノード間インタフェースを介して送信され得る。
【００９２】
幾つかの実施形態において、ネットワークデバイス１１０は、端末デバイス１３０での基準信号測定に関連するネットワークデバイスのみに通知するか、第２周期性の表示に伴いデバイス１３０により実行されるアクティビティに関連するネットワークデバイスのみに通知するかを判定し得る。一例において、ネットワークデバイス１１０は、受信したリポートに基づき、端末デバイス１３０がネットワークデバイス１１０からネットワークデバイス１２０にハンドオーバするかを判定し得る。ネットワークデバイス１１０は、端末デバイス１３０がハンドオーバすると判定した場合、ネットワークデバイス１２０に第２周期性の表示を送信し得る。ハンドオーバイベントの判定については上述したので、ここでは省略する。
【００９３】
ネットワークデバイス１１０は、ネットワークデバイス１２０が端末デバイス１３０への基準信号密度を増加させるトリガにできる他の関連イベントを判定し得る。幾つかの実施形態において、ネットワークデバイス１１０は、端末デバイス１３０が基準信号高密度化のサービス提供を受けたいことを示すために、ネットワークデバイス１２０に表示を送信し得る（例えば、第２周期性を通知することにより、或いは、他のメッセージを使用することにより）。ネットワークデバイス１２０は、第４基準信号を提供するか否か、或いは、第２周期性を使用するか否かを決定し得る。幾つかの実施形態において、ネットワークデバイス１１０は、必要に応じて、第２周期性の表示を２つ以上の隣接ネットワークデバイスに送信し得る。
【００９４】
第２周期性の表示に応答して、ネットワークデバイス１２０は、第２周期性に従い第４基準信号を端末デバイス１３０に送信し得る（２４０）。第４基準信号は、ネットワークデバイス１２０の基準信号密度を増加させるため、第２基準信号と同様の方法で送信され得る。例えば、第３基準信号及び第４基準信号の両方は、ビームを用いてそれぞれの周期性に従い送信される。幾つかのケースにおいて、広いビームが第３基準信号を送信するために使用され、その結果、端末デバイス１３０に加えて他の端末デバイスは、依然、この信号を受信できる。１つ以上の狭いビーム（第３ビームとして参照）が、第４基準信号を送信するために使用され、その結果、この信号は、端末デバイス１３０の様なこの信号を必要とする端末デバイスのみが受信する。
【００９５】
幾つかの実施形態において、第３ビームの数及びその第３幅を判定させるため、端末デバイス１３０の位置がネットワークデバイス１１０によりネットワークデバイス１２０に送信され得る。この位置情報は、第２周期性の表示と共に提供され得る。幾つかの実施形態において、端末デバイス１３０は、ネットワークデバイス１１０及び１２０の両方とコネクションを有し得る。よって、端末デバイス１３０は、例えば、シグナリング効率を改善し得るＬ１測定を介して、その位置関連情報をネットワークデバイス１２０に直接提供し得る。位置関連情報は、地理的位置情報、又は、ネットワークデバイス１２０が端末デバイス１３０の位置を判定又は推定するために使用できる他の情報を含み得る。
【００９６】
端末デバイス１３０は、第２周期性に従い第４基準信号を受信し得る（追加的に、第１周期性に従い送信された第３基準信号も）。幾つかの実施形態において、ネットワークデバイス１１０が、第２周期性の表示を送信することにより第４基準信号の送信をネットワークデバイス１２０に要求すると決定した場合（そして、ネットワークデバイス１２０がこの要求を受け入れた場合）、ネットワークデバイス１１０は、ネットワークデバイス１２０の識別子（例えば、セル１０４のセル識別子）を端末デバイスに送信し得る。この識別子は、第２周期性の表示と共に提供され得る。端末デバイス１３０は、識別子に基づきネットワークデバイス１２０から第４基準信号（及び、幾つかの例においては第３基準信号も）を受信し得る。これらのケースにおいて、端末デバイス１３０は、隣接ネットワークデバイスから、更なる処理又は測定に使用されると判定される追加の第４基準信号のみを受信し、消費電力を低減させる。
【００９７】
ネットワークデバイス１１０（又は１２０）からの基準信号の送信に応じて、端末デバイス１３０は、基準信号を受信し得る。図４は、狭いビームを用いた基準信号の送信を示している。この例において、ネットワークデバイス１１０からの第２基準信号は、狭い第２ビームを用いて送信されている。端末デバイス１３０は、５つの第２ビームを使用して送信された第２基準信号の５つのサンプル４１０を受信し得る。ネットワークデバイス１１０は、例えば、ビーム４０１〜４０５の様なビームを、第２周期性に従い、時間領域において異なる方向に連続的にスウィープし得る。端末デバイス１３０の位置はビーム４０３に一致しているので、ビーム４０３を用いて送信された第２基準信号のサンプル（例えば、サンプル４１０−１、４１０−２、４１０−３又は４１０−４）は、最もチャネル品質が良く、よって、最も高い信号強度として受信され得る。
【００９８】
図５は、広いビームを用いた第１基準信号の送信を示している。このシナリオにおいては、広いビームの使用により、セル１０２の、端末デバイス１３０を含む総ての端末デバイスは、第１基準信号を受信できる。よって、第１周期性に従い、端末デバイス１３０は、異なる時間位置において第１基準信号の１つ以上のサンプル５１０を受信でき、これらサンプルの信号強度は、広い範囲において変化しない。
【００９９】
図２に戻り、端末デバイス１３０は、受信した基準信号に基づき更なるリポートを生成し得る（２５０）。このリポートは、受信した信号の測定に基づき判定され得る。幾つかの実施形態において、端末デバイス１３０は、第１基準信号を受信したかに拘わらず、第２基準信号の受信のみに基づいて更なるリポートを判定し得る。幾つかの他の実施形態において、第１基準信号及び第２基準信号の両方が端末デバイス１３０により受信され、更なるリポートは、この両方の信号に基づき求められ得る。
【０１００】
一例として、図４及び図５を再度参照する。図４において、現在の時間位置で、端末デバイス１３０は、図４に示す様に、第２基準信号の２０個のサンプル４０を受信し（つまり、５つのビーム４０１〜４０５それぞれから４つのサンプル４１０）、それぞれの対応する測定値を計算する。伝統的なオプションとして、端末デバイス１３０は、例えば、サンプルのグループ４２６の様な、複数の最近のサンプルの測定値に基づき平均測定値を判定し得る。しかしながら、サンプルの１つ又は幾つかが、ビームスウィープの間において高い信号強度を有するので、これは、移動平均となり得る。
【０１０１】
幾つかの他の実施形態において、より良いチャネル品質（よって、より高い信号強度）のビームから更なるリポートを生成することが望まれる。端末デバイス１３０は、第２基準信号の受信サンプルの信号強度が、所定範囲（例えば、ビームスウィープから得られた５サンプル）より高い（例えば、閾値より高い）かを判定し得る。幾つかの例において、最も高い、或いは、比較的高い信号強度の１つ以上のサンプルが使用のために選択され得る。一例において、ＭＡＸオペレーションがサンプルを選択するために実行される。図４に示す様に、４ビームスウィープにおいて、サンプル４２０のグループのサンプル４１０−１、サンプル４２２のグループのサンプル４１０−２、サンプル４２４のグループのサンプル４１０−３、サンプル４２６のグループのサンプル４１０−４が選択され得る。他のサンプルは廃棄され得る。
【０１０２】
幾つかの例において、現時刻で、端末デバイス１３０は、現在選択したサンプル（例えば、サンプル４１０−４）の測定に基づき更なるリポートを判定し得る。幾つかの他の例において、所定数の選択サンプル、例えば、サンプル４１０−１〜４１０−４が考慮され得る。第２基準信号のサンプルのどの側面を測定するかは、生成するリポートに依存し得る。
【０１０３】
代わりに、同じビームで受信されたサンプルの平均化オペレーションが実行され得る。例えば、ビーム４０１を用いて集められた第１、第６、第１１及び第１６ビームの測定値が平均化され、他のサンプルも同様である。複数の平均化された測定値から、１つ以上の高い測定値（閾値より高い）が、更なるリポートを判定するために選択され得る。
【０１０４】
幾つかの実施形態において、使用するサンプルの選択は、生成するリポートに基づき得る。例えば、リポートがＲＳＲＱを反映するために生成される場合（ＲＳＲＱ＝ＲＳＲＰ／ＲＳＳＩで計算される）、ＲＳＳＩの値は、考慮しているサンプル（２０サンプルの総て）を平均化することにより、例えば、従来の方法で取得され得る。ＲＳＲＰの値は、上述した様に判定され得る。
【０１０５】
第１基準信号のために、現時間において、第１基準信号の２０サンプルが図５に示す様に受信されたものとする。幾つかの実施形態において、これらサンプルの信号強度は、広範囲にわたり変化しないので、第１基準信号の現在の受信サンプル（２０番目のサンプル）は、他の以前のサンプルと平均化でき、平均測定値は、更なるリポートを判定するために使用され得る（第２基準信号のサンプルから判定された測定値と共に）。幾つかの実施形態において、平均化オペレーションの前に、加算（ＳＵＭ）オペレーションがエネルギを集約するために実行され得る。所定数のサンプルの測定は、まず加算され得る。所定数は、第２基準信号の受信の際のスウィープビーム数に等しくできる。
【０１０６】
ネットワークデバイス１１０の位置において、広いビームに使用されるエネルギは、狭いビームに使用されるエネルギとは異なるため、加算オペレーションは、第１基準信号の測定値を第２基準信号の測定値と比較可能にする。図５の例において、５サンプル毎に加算が行われ、サンプル５２０〜５２６の各グループから加算された測定値５３０〜５３６が得られる。幾つかの実施形態において、複数の加算された測定値（測定値５３０〜５３６の幾つか又は総て）が平均化され、最後の平均測定値が更なるリポートを判定するために使用される。
【０１０７】
上述した測定方法は、単なる例示である。既存又は将来開発される多くの他の方法が、第１基準信号及び第２基準信号の受信サンプルから１つ以上の測定値を判定するために適用され得る。送信周期性の減少により、周波数内及び周波数間の両方のケースにおいて高速測定を達成できる。ネットワークデバイス１２０から受信する基準信号に対して、同様の方法が、測定値を得るために端末デバイス１３０に適用され得る。これらの測定値は、更なるリポートを判定するために使用され得る（つまり、２５０で生成されるリポート）。
【０１０８】
図２に戻り、端末デバイス１３０は、ネットワークデバイスに更なるリポートを送信し得る（２６０）。基準信号を受信した場合、リポートの送信は、端末デバイス１３０の通常動作であるが、以前のリポートの様に、更なるリポートは、ネットワークデバイス１１０にとって、基準信号送信の周期性を変更することを可能にする、或いは、不可能にするトリガとして動作し得る。更なるリポートの受信により、ネットワークデバイス１１０が第２基準信号を送信して基準信号測定を増加させる場合を考慮し、ネットワークデバイス１１０は、その高密度化を不可能にするかを決定し得る（例えば、第２基準信号の送信を停止することにより）。
【０１０９】
幾つかの実施形態において、ネットワークデバイス１１０は、例えば、端末デバイス１３０がセルエッジ領域にいるか、或いは、ハンドオーバするかを判定するために、更なるリポートに基づき同じ判定を実行し得る。否定的な判定が得られると、ネットワークデバイス１１０は、端末デバイス１３０への第２基準信号の送信を停止し、通常の基準信号に戻り得る（端末デバイス１３０の観点から）。この場合、ネットワークデバイス１１０は、他の端末デバイスの必要性に応じて、他の端末デバイスに第２基準信号を送信することを継続し得る。
【０１１０】
幾つかの実施形態において、第２基準信号を必要とする総ての端末デバイスがセルエッジ領域にいないと判定すると、ネットワークデバイス１１０は、基準信号高密度化を無効にし得る。幾つかの実施形態において、ネットワークデバイス１１０は、総ての第２基準信号を送信しないと決定すると、ネットワークデバイス１１０は、それをネットワークデバイス１２０に通知し得る。よって、ネットワークデバイス１１０は、第４基準信号の送信が必要ないことを示すために、ネットワークデバイス１２０に表示を送信し得る（２７０）。ネットワークデバイス１１０は、周期性のこの変更を通知するために、端末デバイス１３０に表示を送信することもでき（２８０）、その結果、端末デバイス１３０は、この表示を受信後、第２基準信号の受信を期待しない。
【０１１１】
幾つかの実施形態において、幾つかの新たなイベントが定義され、端末デバイス１３０により基準信号高密度化の有効化又は無効化が報告され得る。これらのイベントは、現在の標準において定義されていない。幾つかの例において、端末デバイス１３０は、基準信号測定に基づき、隣接ネットワークデバイス１２０のチャネル品質がネットワークデバイス１１０より悪いかを判定し、それを、ネットワークデバイス１１０に報告し得る。この種のリポートに基づき、ネットワークデバイス１１０は、基準信号高密度化が端末デバイス１３０に必要でないかを判定し、通常の基準信号送信に戻り得る。
【０１１２】
幾つかの構成情報が、上述したリポートの生成のためにネットワークデバイス１１０から端末デバイス１３０に提供され得る。幾つかの例において、第１閾値は、端末デバイス１３０とネットワークデバイス１１０との間の第１チャネル品質が、端末デバイス１３０とネットワークデバイス１２０との間の第２チャネル品質より高いかを判定するためである。端末デバイス１３０が、ネットワークデバイス１１０及び１２０の両方からの基準信号測定により、第２チャネル品質が第１チャネル品質に第１閾値を加えた値より低いと判定すると、端末デバイス１３０は、ネットワークデバイス１１０にリポートを送信し得る。代わりに、或いは、追加して、構成情報は、ネットワークデバイス１２０の第２チャネル品質が低いかを判定するための第２閾値を含み得る。第２チャネル品質が比較的低い（第２閾値より低い）と端末デバイス１３０が判定すると、端末デバイス１３０は、それを、ネットワークデバイス１１０に報告し得る。
【０１１３】
第１閾値又は第２閾値に基づき生成されたリポートに基づき、ネットワークデバイス１１０は、基準信号高密度化を無効にするかを決定し得る。その様なリポートを受信しない場合、ネットワークデバイス１１０は、第２基準信号の送信を継続し得る。
【０１１４】
幾つかの実施形態において、例えば、対応するリポートが要求される前に、構成情報が、ネットワークデバイス１１０から端末デバイス１３０に送信され得る。一例において、構成情報は、基準信号高密度化が有効化されるとき、或いは、前に提供され得る。
【０１１５】
処理２００で提供される基準信号高密度化は、ネットワークデバイス側での基準信号送信の周期性を減少させ、よって、端末デバイス側での基準信号測定の周期性を減少させる。幾つかの実施形態において、基準信号送信の減少は、ネットワークデバイス１１０の時間及び帯域幅資源を占有するので、ネットワークデバイス１１０は、サービス提供され得る端末デバイスの幾つかのみに基準信号高密度化が提供される様に構成し得る。対応する構成情報の受信により、端末デバイス１３０は、基準信号高密度化のサービス提供がされるかを認識し得る。例えば、ネットワークデバイス１１０は、端末デバイス１３０のトラフィックタイプを判定し、トラフィックタイプに基づき基準信号高密度化に関連する構成情報を端末デバイス１３０に送信するかを判定し得る。基準信号高密度化の利点を有するトラフィックタイプは、ＵＲＬＬＣ又はｅＶ２ｘトラフィックの様な、低遅延を要求するトラフィックであり得る。
【０１１６】
構成情報は、基準信号高密度化のサービス提供を受ける能力のある端末デバイス１３０を示すことに特化し得る。幾つかの他の例において、構成情報は、上述した第１閾値及び第２閾値や、リポートを生成するために端末デバイス１３０に対して定義された他のパラメータの様なリポートに関連され得る。幾つかの実施形態において、基準信号高密度化が端末デバイス１３０に対して提供されない場合、それは、第１基準信号を受信する通常モードとして動作し得る。
【０１１７】
処理２００は、端末デバイス１３０がネットワークデバイス１１０のカバレッジ内に存在する限り連続的に実行され、その結果、基準信号高密度化は、測定リポートに従い、端末でバイス１３０に対して適応的に有効化または無効化され得る。
【０１１８】
図６は、本開示の幾つかの実施形態に従う例示的な方法６００のフローチャートを示している。方法６００は、図１に示すネットワークデバイス１１０又は１２０で実行され得る。説明目的で、方法６００について、図１のネットワークデバイス１１０の観点から記述する。
【０１１９】
ブロック６２０で、ネットワークデバイス１１０は、第１基準信号の測定に関するリポートを端末デバイス１３０から受信する。第１基準信号は、第１周期性に従い、ネットワークデバイスから端末デバイスに送信されたものである。よって、ブロック６１０に示す様に、ネットワークデバイス１１０は、第１周期性に従い第１基準信号を端末デバイス１３０に送信する。
【０１２０】
ブロック６３０で、ネットワークデバイス１１０は、リポートに基づき、基準信号送信の周期性を変更するため、第２基準信号を送信するかを判定する。ネットワークデバイス１１０が周期性を変更すると決定すると、ネットワークデバイス１１０は、ブロック６４０で、第２基準信号を受信するための第２周期性の表示を端末デバイス１３０に送信する。第２基準信号は、第１基準信号に関連付けられる。ネットワークデバイス１１０が周期性を変更しないと決定すると、ブロック６１０に戻り、第１周期性に従う第１基準信号の送信を継続する。
【０１２１】
図７は、本開示の幾つかの他の実施形態に従う例示的な方法７００のフローチャートを示している。方法７００は、図１に示す端末デバイス１３０のいずれかで実行され得る。説明目的で、方法７００について、図１の端末デバイス１３０の観点から記述する。
【０１２２】
ブロック７１０で、端末デバイス１３０は、第１基準信号の測定に基づきリポートを判定する。第１基準信号は、第１周期性に従い、ネットワークデバイス１１０から端末デバイスにより受信される。ブロック７２０で、端末デバイス１３０は、ネットワークデバイス１１０に第２基準信号を送信させるため、ネットワークデバイス１１０にリポートを送信する。第２基準信号は、第１基準信号に関連付けられる。ブロック７３０で、端末デバイス１３０は、第２基準信号を受信するための第２周期性の表示をネットワークデバイス１１０から受信する。
【０１２３】
図２を参照して記述した、ネットワークデバイス１１０若しくは１２０又は端末デバイス１３０に関する総ての動作及び特徴は、方法６００及び７００に同様に適用でき、同様の効果を有することが理解される。簡略化のため、詳細については省略する。
【０１２４】
図８は、本開示の幾つかの実施形態に従うネットワークデバイス８００のブロック図である。ネットワークデバイス８００は、図１に示すネットワークデバイス１１０又は１２０の例示的な実装形態と見做し得る。
【０１２５】
図示する様に、ネットワークデバイス８００は、端末デバイスから、第１基準信号の測定に関するリポートを受信する様に構成された受信ユニット８２０を有し、第１基準信号は、第１周期性に従い、ネットワークデバイスから端末デバイスに送信されたものである。ネットワークデバイス８００は、リポートに基づき、第２基準信号を受信するための第２周期性の表示を端末デバイスに送信する様に構成された送信ユニット８１０も備え、第２基準信号は、第１基準信号に関連付けられる。
【０１２６】
幾つかの実施形態において、送信ユニット８１０は、第２周期性の表示を送信することに応答して、第１周期性に従い、第１基準信号を端末デバイスに送信し、第２周期性に従い、第２基準信号を端末デバイスに送信する様にさらに構成され得る。
【０１２７】
幾つかの実施形態において、送信ユニット８１０は、第１幅の第１ビームを使用して第１基準信号を送信し、第２幅の１つ以上の第２ビームを使用して第２基準信号を送信する様にさらに構成され得る。幾つかの実施形態において、第２幅は、第１幅より狭い。
【０１２８】
幾つかの実施形態において、ネットワークデバイス８００は、端末デバイスの位置に基づき、第２幅の１つ以上と、第２ビームの数を判定する様に構成された判定ユニット８３０をさらに有する。
【０１２９】
幾つかの実施形態において、判定ユニット８３０は、リポートに基づき、端末デバイスがネットワークデバイスから更なるネットワークデバイスにハンドオーバするかを判定する様にさらに構成され得る。送信ユニット８１０は、端末デバイスがハンドオーバするとの判定に応答して、第２周期性の表示を送信する様に構成される。
【０１３０】
幾つかの実施形態において、リポートは、第１周期性に従い更なるネットワークデバイスによって端末デバイスに送信された第３基準信号の測定に更に関し得る。送信ユニット８１０は、第４基準信号を送信するための第２周期性の表示を更なるネットワークデバイスに送信する様にさらに構成され、第４基準信号は、第３基準信号に関連付けられる。
【０１３１】
幾つかの実施形態において、判定ユニット８３０は、リポートに基づき、端末デバイスがネットワークデバイスから更なるネットワークデバイスにハンドオーバするかを判定する様にさらに構成され得る。送信ユニット８１０は、端末デバイスがハンドオーバするとの判定に応答して、第２周期性の表示を更なるネットワークデバイスに送信する様にさらに構成され得る。
【０１３２】
幾つかの実施形態において、送信ユニット８１０は、端末デバイスがハンドオーバするとの判定に応答して、第４基準信号を受信するための更なるネットワークデバイスの識別子を端末デバイスに送信する様にさらに構成され得る。
【０１３３】
幾つかの実施形態において、送信ユニット８１０は、更なるネットワークデバイスに、第４基準信号を送信する１つ以上の第３ビームの第３幅と、第３ビーム数との１つ以上を判定させるために、端末デバイスの位置を更なるネットワークデバイスに送信する様にさらに構成され得る。
【０１３４】
幾つかの実施形態において、送信ユニット８１０は、第２周期性の表示をさらなる端末デバイスに送信する様にさらに構成され得る。
【０１３５】
幾つかの実施形態において、送信ユニット８２０は、ＲＮＴＩに基づき第２周期性の表示を送信する様に構成され得る。ＲＮＴＩは、端末デバイス及び更なる端末デバイスを含むグループに対して定義される。
【０１３６】
幾つかの実施形態において、送信ユニット８１０は、リポートの構成情報を、端末デバイスに送信する様にさらに構成され得る。
【０１３７】
幾つかの実施形態において、判定ユニット８３０は、端末デバイスのトラフィックタイプを判定する様にさらに構成され得る。送信ユニット８１０は、トラフィックタイプに基づきリポートの構成情報を送信する様にさらに構成され得る。
【０１３８】
幾つかの実施形態において、構成情報は、端末デバイスとネットワークデバイスとの間の第１チャネル品質が、端末デバイスと更なるネットワークデバイスとの間の第２チャネル品質より低いかを判定するための第１閾値と、第２チャネル品質が低いかを判定するための第２閾値と、の１つ以上を含み得る。
【０１３９】
図９は、本開示の幾つかの実施形態に従う端末デバイス９００のブロック図である。端末デバイス９００は、図１に示す端末デバイス１３０の例示的な実装形態と見做し得る。
【０１４０】
図示する様に、端末デバイス９００は、第１基準信号の測定に基づきリポートを判定する様に構成された判定ユニット９１０を有し、第１基準信号は、第１周期性に従い、ネットワークデバイスから端末デバイスにより受信されたものである。端末デバイス９００は、ネットワークデバイスに第２基準信号を送信させるためにリポートをネットワークデバイス送信する様に構成された送信ユニット９２０も含み、第２基準信号は、第１基準信号に関連付けられる。端末デバイス９００は、第２基準信号を受信するための第２周期性の表示をネットワークデバイスから受信する様に構成された受信ユニット９３０をさらに有する。
【０１４１】
幾つかの実施形態において、受信ユニット９３０は、第２周期性の表示を受信することに応答して、ネットワークデバイスから端末デバイスへの、第１周期性に従う第１基準信号を受信し、ネットワークデバイスから端末デバイスへの、第２周期性に従う第２基準信号を受信する様にさらに構成され得る。
【０１４２】
幾つかの実施形態において、受信ユニット９３０は、第１幅の第１ビームを使用して送信された第１基準信号を受信し、第２幅の１つ以上の第２ビームを使用して送信された第２基準信号を受信する様にさらに構成され得る。幾つかの実施形態において、第２幅は、第１幅より狭い。
【０１４３】
幾つかの実施形態において、判定ユニット９１０は、第２基準信号の信号強度が所定の閾値より高いかを判定し、第２基準信号の信号強度が閾値より高いと判定することに応答して、第２基準信号の測定に基づき更なるリポートを判定する様にさらに構成され得る。
【０１４４】
幾つかの実施形態において、判定ユニット９１０は、第１基準信号の測定値と、第１ビームを使用して受信した更なる基準信号の更なる測定値とに基づき平均測定値を判定し、判定した平均測定値にさらに基づき更なるリポートを判定する様にさらに構成され得る。
【０１４５】
幾つかの実施形態において、判定ユニット９１０は、第１周期性に従い更なるネットワークデバイスから受信した第３基準信号の測定にさらに基づきリポートを判定する様に構成され、リポートは、端末デバイスがネットワークデバイスから更なるネットワークデバイスにハンドオーバするかを示している。
【０１４６】
幾つかの実施形態において、受信ユニット９３０は、端末デバイスがハンドオーバすることを示すリポートに応答して、ネットワークデバイスから更なるネットワークデバイスの識別子を受信し、受信した識別子に基づき、第２周期性に従い更なるネットワークデバイスから第４基準信号を受信する様にさらに構成され、第４基準信号は、第３基準信号に関連付けられる。
【０１４７】
幾つかの実施形態において、受信ユニット９３０は、ＲＮＴＩに基づき第２周期性の表示を受信する様にさらに構成され得る。ＲＮＴＩは、端末デバイス及び更なる端末デバイスを含むグループに対して定義され得る。
【０１４８】
デバイス８００及び９００に含まれるユニットは、処理２００並びに方法６００及び７００のブロックに対応する。よって、図１から図５を参照して記載した総ての動作及び特徴は、デバイス８００及び９００に含まれるユニットに対して同様に適用でき、同様の効果を有する。簡略化のため、詳細については省略する。
【０１４９】
デバイス８００及び９００に含まれるユニットは、ソフトウェア、ハードウェア、ファームウェア、或いは、それらの任意の組み合わせを含む、様々な方法で実現され得る。一実施形態において、１つ以上のユニットは、例えば、格納媒体に格納されたマシンが実行可能な命令といった、ソフトウェア及び／又はファームウェアを用いて実現され得る。マシンが実行可能な命令に加えて、或いは、代わりに、デバイス８００及び９００のユニットの総て又は部分は、１つ以上のハードウェアロジックコンポーネントにより、少なくとも部分的に実現され得る。例えば、使用可能な、ハードウェアロジックコンポーネントの例示的なタイプは、フィールドプログラマブルゲートアレイ（ＦＰＧＡ）、アプリケーション特定集積回路（ＡＳＩＣ）、アプリケーション特定標準プロダクト（ＡＳＳＰ）、システム−オン−チップシステム（ＳＯＣ）、コンプレックスプログラマブル論理デバイス（ＣＰＬＤ）等であるが、これらに限定されない。
【０１５０】
図１０は、本開示の実施形態を実行するのに適切なデバイス１０００の簡略化したブロック図である。デバイス１０００は、図１に示すネットワークデバイス１１０又は端末デバイス１３０の更なる例示的な実装形態と見做し得る。したがって、デバイス１０００は、それぞれ、ネットワークデバイス１１０又は端末デバイス１３０、或いは、それらの部分として実装され得る。
【０１５１】
図示する様に、デバイス１０００は、プロセッサ１０１０と、プロセッサ１０１０に接続されたメモリ１０２０と、プロセッサ１０１０に接続された適切な送信機（ＴＸ）及び受信機（ＲＸ）１０４０と、ＴＸ／ＲＸ１０４０に接続された通信インタフェースと、を有する。メモリ１０１０は、プログラム１０３０の部分を少なくとも格納する。ＴＸ／ＲＸ１０４０は、双方向通信のためである。実際的には本出願で述べたアクセスノードは、複数のアンテナを有するが、ＴＸ／ＲＸ１０４０は、通信を促進するための少なくとも１つのアンテナを有する。通信インタフェースは、ｅＮＢ間の双方向通信のためのＸ２インタフェース、モビリティ管理エンティティ（ＭＭＥ）／サービングゲートウェ（Ｓ−ＧＷ）とｅＮＢとの間の通信のためのＳ１インタフェース、ｅＮＢとリレイノード（ＲＮ）との間の通信のためのＵｎインタフェース、ｅＮＢと端末デバイスとの間の通信のためのＵｕインタフェースの様な、他のネットワーク要素との通信に必要な任意のインタフェースを表し得る。
【０１５２】
プログラム１０３０は、関連するプロセッサ１０１０で実行されると、デバイス１０００が、図１から図７を参照して説明した本開示の実施形態に従い動作することを可能にするプログラム命令を含むと想定される。記述した実施形態は、デバイス１０００のプロセッサ１０１０により実行可能なコンピュータソフトウェア、ハードウェア、又は、ソフトウェアとハードウェアの組み合わせにより実行可能であり得る。プロセッサ１０１０は、本開示の様々な実施形態を実行する様に構成され得る。さらに、プロセッサ１０１０とメモリ１０２０の組み合わせは、本開示の様々な実施形態を実行する様に適合された処理手段１０５０を形成し得る。
【０１５３】
メモリ１０１０は、ローカル技術ネットワークに適切な任意タイプであり、任意の適切なデータ格納技術で実現され、非制限的な例として、非一時的なコンピュータ可読記憶媒体、半導体ベースのメモリデバイス、磁気メモリデバイス及びシステム、光メモリデバイス及びシステム、固定メモリ、リムーバルメモリであり得る。デバイス１０００には唯一つのメモリ１０２０のみを示しているが、デバイス１０００には複数の物理的に異なるメモリモジュールが存在し得る。プロセッサ１０１０は、ローカル技術ネットワークに適切な任意タイプであり、非制限的な例として、汎用目的プロセッサ、特定目的コンピュータ、マイクロプロセッサ、デジタル信号プロセッサ（ＤＳＰ）及びマルチコアプロセッサアーキテクチャに基づくプロセッサの１つ以上を含み得る。デバイス１０００は、メインプロセッサを同期するクロックに時間的に従属されるアプリケーション特定集積回路チップの様な、複数のプロセッサを含み得る。
【０１５４】
概して、本開示の様々な実施形態は、ハードウェア、特定目的回路、ソフトウェア、論理回路、又は、それらの組み合わせにより実現され得る。幾つかの側面は、ハードウェアで実現されるが、他の側面は、コントローラ、マイクロプロセッサ又は他のコンピュータデバイスにより実行され得るファームウェア又はソフトウェアで実現され得る。本開示の実施形態の様々な態様を、ブロック図、フローチャート、幾つかの他の図面表現を使用して説明したが、記載したブロック、装置、システム、技術、又は、方法は、限定しない例として、ハードウェア、ソフトウェア、ファームウェア、特定目的回路又は論理回路、汎用目的ハードウェア若しくはコントローラ、他のコンピューティングデバイス、又は、それらの幾つかの組み合わせにより実現され得る。
【０１５５】
本開示は、非一時的なコンピュータ可読記憶媒体に格納された少なくとも１つのコンピュータプログラム製品も提供する。コンピュータプログラム製品は、プログラムモジュールに含まれるコンピュータが実行可能な命令を含み、デバイスのターゲット実プロセッサ又は仮想プロセッサで実行され、図２、図６及び図７のいずれかを参照して説明した処理又は方法を実行する。概して、プログラムモジュールは、特定のタスクを実行する、或いは、特定の抽象的なデータタイプを実装する、ルーティン、プログラム、ライブラリ、オブジェクト、クラス、コンポーネント、データ構造等を含む。プログラムモジュールの機能は、種々の実施形態で記載した様に、プログラムモジュール間で結合、又は、分割され得る。プログラムモジュールのマシンが実行可能な命令は、局所的又は分散されたデバイス内で実行され得る。分散されたデバイスにおいて、プログラムモジュールは、ローカル及びリモートの格納媒体の両方に配置され得る。
【０１５６】
本開示の方法を実行するプログラムコードは、１つ以上のプログラム言語の任意の組み合わせで記述され得る。これらのプログラムコードは、プロセッサや、汎用目的コンピュータ、特定目的コンピュータ、他のプログラム可能なデータ処理装置のコントローラに提供され、プログラムコードは、プロセッサ又はコントローラで実行されると、実現されるフローチャート及び／又はブロックダイアグラムで特定された機能／動作を実行させる。プログラムコードは、スタンドアローンソフトウェアパッケージとして、マシンで総てが実行され、マシンで部分的に実行され、或いは、マシン及びリモートマシンそれぞれで部分的に実行され、或いは、リモートマシン又はサーバで全体が実行される。
【０１５７】
上記プログラムコードは、命令実行システム、装置又はデバイスと共に使用するプログラムを含む、或いは、格納するマシン可読媒体として具体化され得る。マシン可読媒体は、マシン可読信号媒体又はマシン可読記憶媒体であり得る。マシン可読媒体は、電子、磁気、光、電磁、赤外線又は半導体システム、装置、デバイス、又は、それらの任意の適切な組み合わせであり得る。マシン可読媒体の特定例は、１つ以上のワイヤを有する電気的接続、ポータブルコンピュータディスケット、ハードディスク、ランダムアクセスメモリ（ＲＡＭ）、リードオンリーメモリ（ＲＯＭ）、消去可能なプログラマブルリードオンリーメモリ（ＥＰＲＯＭ又はフラッシュメモリ）、光ファイバ、ポータブルコンパクトディスクリードオンリーメモリ（ＣＤ−ＲＯＭ）、光格納デバイス、磁気格納デバイス、又は、それらの任意の適切な組み合わせであり得る。
【０１５８】
さらに、特定の順序での動作を説明したが、図示した特定の順序、又は、シーケンシャル順序で実行することは必要ではなく、総ての説明した動作は、望ましい結果を達成するために実行される。特定の環境において、マルチタスク及び並行処理が有利であり得る。同様に、上記記載には、幾つかの特定の実装の詳細が含まれているが、それらは、本開示の範囲を制限するものではなく、特徴の記載は、特定の実施形態に特有のものであり得る。個別の実施形態の文脈で記述された特定の特徴は、単一実施形態において組み合わせて実装され得る。逆に、単一の実施形態の文脈で記述された種々の特徴は、複数の実施形態において個別に、或いは、任意の適切なサブコンビネーションとして実装され得る。
【０１５９】
本開示について、構造的特徴及び／又は方法的動作に特有の言語で記載したが、添付の特許請求の範囲で定義される本開示は、上述した特定の特徴又は動作に必ずしも限定されない。むしろ、上述した特定の特徴及び動作は、特許請求の範囲を実装する例示的形式として開示されている。
【０１６０】
以下に、上述した態様／実施形態に関連する更なる例を示す。
【０１６１】
本開示の幾つかの実施形態において、周波数内ハンドオーバ及び周波数間ハンドオーバの両方の異なる測定期間のためのＲＲＣ測定構成について述べた。モチベーションは、高周波数における高信頼度のＮＲコネクションを達成するために、ＮＲにおいて、周波数内測定及び周波数間測定の両方をＬＴＥより速くさせる可能性がある。しかしながら、ＵＥにおいて、測定には制限があり、ハードウェア資源を消費し、バッテリ消費を増加させる。よって、少しのＵＥが高速な測定を実行する必要があり、他のＵＥは、遅い測定周期で良い場合、幾つかの異なる測定期間を持つことが可能である。高速な測定のために、低い精度と、ネットワークによる追加のＲＳオーバヘッドのいずれかを受け入れる必要がある。別のオプションは、短い時間でのより良い精度を達成するために、通常より広い帯域幅に渡る測定を行わせることである。ＵＥへの要求を最小化するために、高速な測定は、初期値より小さな最も良いセルのサブセットでのみ実行され得る。
【０１６２】
一態様において、周波数内ハンドオーバ及び周波数間ハンドオーバの両方のためのより速いハンドオーバ測定を導入する可能性を提供することが提案される。他の態様において、周波数内ハンドオーバ及び周波数間ハンドオーバの両方の異なる測定期間のための測定構成を提供することが提案される。
【０１６３】
これらの態様は、高速な測定期間に反応する必要がある幾つかのＵＥのための高速測定を可能にし、かつ、バッテリ等をセーブする必要がある他のＵＥに対してより遅い測定期間を可能にする。測定期間に加えて、例えば、実際の測定リポートが送信されるまでＵＥが待つ時間といった、トリガまでの時間タイマーがある。
【図１】
2019533920.tif 000006
【図２】
2019533920.tif 000007
【図３】
2019533920.tif 000008
【図４】
2019533920.tif 000009
【図５】
2019533920.tif 000010
【図６】
2019533920.tif 000011
【図７】
2019533920.tif 000012
【図８】
2019533920.tif 000013
【図９】
2019533920.tif 000014
【図１０】
2019533920.tif 000015
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
ネットワークデバイス（１１０）で実行される方法（６００）であって、
第１周期性に従い、前記ネットワークデバイス（１１０）から端末デバイス（１３０）に送信された第１基準信号の測定に関するリポートを前記端末デバイス（１３０）から受信する（６２０）ことと、
前記リポートに基づき、前記第１基準信号に関連付けられた第２基準信号を受信するための第２周期性の表示を前記端末デバイス（１３０）に送信する（６４０）ことと、
を含む方法。
【請求項２】
請求項１に記載の方法（６００）であって、さらに、
前記第２周期性の前記表示を送信することに応答して、
前記第１周期性に従い前記第１基準信号を前記端末デバイス（１３０）に送信することと、
前記第２周期性に従い前記第２基準信号を前記端末デバイス（１３０）に送信することと、を含む方法。
【請求項３】
請求項２に記載の方法（６００）であって、
前記第１基準信号を送信することは、第１幅の第１ビームを用いて前記第１基準信号を送信することを含み、
前記第２基準信号を送信することは、第２幅の１つ以上の第２ビームを用いて前記第２基準信号を送信することを含む、方法。
【請求項４】
請求項１から３のいずれか１項に記載の方法（６００）であって、
前記第２周期性の表示を送信することは、
前記リポートに基づき、前記端末デバイス（１３０）が、前記ネットワークデバイス（１１０）から更なるネットワークデバイス（１２０）にハンドオーバするかを判定することと、
前記端末デバイス（１３０）がハンドオーバするとの判定に応答して、前記第２周期性の前記表示を送信することと、
を含む方法。
【請求項５】
請求項１から４のいずれか１項に記載の方法（６００）であって、
前記リポートは、前記第１周期性に従い更なるネットワークデバイス（１２０）により前記端末デバイス（１３０）に送信された第３基準信号の測定にさらに関連し、
前記方法は、さらに、
前記第３基準信号に関連付けられた第４基準信号を送信するための前記第２周期性の表示を前記更なるネットワークデバイス（１２０）に送信することを含む、方法。
【請求項６】
端末デバイス（１３０）で実行される方法（７００）であって、
第１周期性に従い、ネットワークデバイス（１１０）から前記端末デバイス（１３０）により受信された第１基準信号の測定に基づくリポートを判定する（７１０）ことと、
前記第１基準信号に関連付けられた第２基準信号を前記ネットワークデバイス（１１０）に送信させるために、前記ネットワークデバイス（１１０）に前記リポートを送信する（７２０）ことと、
前記第２基準信号を受信するための第２周期性の表示を前記ネットワークデバイス（１１０）から受信する（７３０）ことと、
を含む方法。
【請求項７】
請求項６に記載の方法（７００）であって、さらに、
前記第２周期性の前記表示を受信することに応答して、
前記第１周期性に従い前記端末デバイス（１３０）への前記第１基準信号を前記ネットワークデバイス（１１０）から受信することと、
前記第２周期性に従い前記端末デバイス（１３０）への前記第２基準信号を前記ネットワークデバイス（１１０）から受信することと、
を含む方法。
【請求項８】
請求項７に記載の方法（７００）であって、
前記第１基準信号を受信することは、第１幅の第１ビームを用いて送信された前記第１基準信号を受信することを含み、
前記第２基準信号を受信することは、第２幅の１つ以上の第２ビームを用いて送信された前記第２基準信号を受信することを含む、方法。
【請求項９】
請求項６から８のいずれか１項に記載の方法（７００）であって、
前記リポートを判定することは、前記第１周期性に従い更なるネットワークデバイス（１２０）から受信した第３基準信号の測定にさらに基づき前記リポートを判定することを含み、
前記リポートは、前記端末デバイス（１３０）が前記ネットワークデバイス（１１０）から前記更なるネットワークデバイス（１２０）にハンドオーバするかを示す、方法。
【請求項１０】
ネットワークデバイス（１１０、８００）の装置（１０００）であって、
プロセッサ（１０１０）と、前記プロセッサ（１０１０）により実行可能な命令を含むメモリ（１０２０）と、を備え、
前記装置（１０００）は、
第１周期性に従い、前記ネットワークデバイス（１１０）から端末デバイス（１３０）に送信された第１基準信号の測定に関するリポートを前記端末デバイス（１３０）から受信し（６２０）、
前記リポートに基づき、前記第１基準信号に関連付けられた第２基準信号を受信するための第２周期性の表示を前記端末デバイス（１３０）に送信する（６４０）、
様に動作する、装置。
【請求項１１】
請求項１０に記載の装置（１０００）であって、
前記装置は、
前記第２周期性の前記表示を送信することに応答して、
前記第１周期性に従い前記第１基準信号を前記端末デバイス（１３０）に送信し、
前記第２周期性に従い前記第２基準信号を前記端末デバイス（１３０）に送信する、
様に動作する、装置。
【請求項１２】
請求項１１に記載の装置（１０００）であって、
前記装置は、第１幅の第１ビームを用いて前記第１基準信号を送信することにより前記第１基準信号を送信する様に動作し、
前記装置は、第２幅の１つ以上の第２ビームを用いて前記第２基準信号を送信することにより前記第２基準信号を送信する様に動作する、装置。
【請求項１３】
請求項１２に記載の装置（１０００）であって、
前記第２幅は、前記第１幅より狭い、装置。
【請求項１４】
請求項１２に記載の装置（１０００）であって、
前記装置（１０００）は、さらに、前記端末デバイス（１３０）の位置に基づき、前記第２幅の１つ以上と、前記第２ビームの数を判定する様に動作する、装置。
【請求項１５】
請求項１０から１４のいずれか１項に記載の装置（１０００）であって、
前記装置（１０００）は、さらに、前記リポートの構成情報を前記端末デバイス（１３０）に送信する様に動作する、装置。
【請求項１６】
端末デバイス（１３０、９００）の装置（１０００）であって、
プロセッサ（１０１０）と、前記プロセッサ（１０１０）により実行可能な命令を含むメモリ（１０２０）と、を備え、
前記装置（１０００）は、
第１周期性に従い、ネットワークデバイス（１１０）から前記端末デバイス（１３０）により受信された第１基準信号の測定に基づくリポートを判定（７１０）し、
前記第１基準信号に関連付けられた第２基準信号を前記ネットワークデバイス（１１０）に送信させるために、前記ネットワークデバイス（１１０）に前記リポートを送信（７２０）し、
前記第２基準信号を受信するための第２周期性の表示を前記ネットワークデバイス（１１０）から受信する（７３０）、
様に動作する、装置。
【請求項１７】
請求項１６に記載の装置（１０００）であって、
前記装置（１０００）は、さらに、
前記第２周期性の前記表示を受信することに応答して、
前記第１周期性に従い前記端末デバイス（１３０）への前記第１基準信号を前記ネットワークデバイス（１１０）から受信し、
前記第２周期性に従い前記端末デバイス（１３０）への前記第２基準信号を前記ネットワークデバイス（１１０）から受信する、
様に動作する、装置。
【請求項１８】
請求項１７に記載の装置（１０００）であって、
前記装置（１０００）は、
第１幅の第１ビームを用いて送信された前記第１基準信号を受信することにより、前記第１基準信号を受信することにより、前記第１基準信号を受信する様に動作し、
前記第２基準信号を受信することは、第２幅の１つ以上の第２ビームを用いて送信された前記第２基準信号を受信することを含む、装置。
【請求項１９】
請求項１８に記載の装置（１０００）であって、
前記第２幅は、前記第１幅より狭い、装置。
【請求項２０】
請求項１７又は１８に記載の装置（１０００）であって、
前記装置（１０００）は、さらに、
前記第２基準信号の信号強度が予め決められた閾値より高いかを判定し、
前記第２基準信号の前記信号強度が前記閾値より高いと判定することに応答して、前記第２基準信号の測定に基づき更なるリポートを判定する、
様に動作する、装置。
【国際調査報告】
2019533920.tif 000016
2019533920.tif 000017
2019533920.tif 000018